(57)【要約】  冷蔵庫クーラーは、前面開口およ前面を有する少なくとも１つの収容コンパートメントを含むキャビネットを備える。冷蔵庫クーラーは、左および右ドア・アセンブリが閉位置にあるとき、前面に対して閉じてシールするためにキャビネットに回転自在に取り付けられた左および右ドア・アセンブリを更に有する。左および右ドア・アセンブリは、左および右ドア、左および右ドアの後面に取り付けられた外周ガスケット、左および右ドアの内側面に取り付けられた磁気フレンチドア・ガスケット、および左および右ドアに取り付けられた１つ以上のドアストップを含む。左および右ドアが閉じられたとき、左および右磁気フレンチドア・ガスケットは互いに磁気的に引きつけられ、左または右ドアが開かれたとき、磁気的に互いに反発する。
2016530476.tif 000002
【特許請求の範囲】
【請求項１】
（ａ）少なくとも１つの収容コンパートメントを備えるキャビネットであって、前記収容コンパートメントは、開口した前面を有し、奥壁、底壁、天井壁、左側壁および右側壁により囲まれており、前記底壁、前記天井壁、前記左側壁および前記右側壁がキャビネット前面を構成するキャビネット、
（ｂ）前記キャビネットに回転自在に取り付けられた左ドア・アセンブリ、および
（ｃ）前記キャビネットに回転自在に取り付けられた右ドア・アセンブリ、を備えた冷蔵庫クーラーであって、
前記左ドア・アセンブリは、
（ｉ）後面と内側面を有する左ドアと、
（ｉｉ）前記左ドアの後面に取り付けられた左外周ガスケットであって、前記左ドアが閉位置にある場合、キャビネット前面の一部と接触する左外周ガスケットと、
（ｉｉｉ）前記左ドアの内側面に取り付けられた左磁気フレンチドア・ガスケット・アセンブリであって、前記左外周ガスケットから離れている左磁気フレンチドア・ガスケット・アセンブリと、
（ｉｖ）前記左ドアに取り付けられた１つ以上のドアストップと、を含み、
前記右ドア・アセンブリは、
（ｉ）後面と内側面を有する右ドアと、
（ｉｉ）前記右ドアの後面に取り付けられた右外周ガスケットであって、右ドアが閉位置にある場合、キャビネット前面の一部と接触する右外周ガスケットと、
（ｉｉｉ）前記右ドアの内側面に取り付けられた右磁気フレンチドア・ガスケット・アセンブリであって、前記右外周ガスケットから離れている右磁気フレンチドア・ガスケット・アセンブリと、
（ｉｖ）前記右ドアに取り付けられた１つ以上のドアストップと、を含み、
前記左ドアおよび前記右ドアが閉じられるとき、前記左および右磁気フレンチドア・ガスケット・アセンブリは互いに磁気的に引きつけられ、そして前記左および右ドアの少なくとも１つが開かれるとき、互いに磁気的に反発するよう構成された冷蔵庫クーラー。
【請求項２】
前記左および右磁気フレンチドア・ガスケット・アセンブリは、各々がフレンチドア・ガスケットを含み、前記フレンチドア・ガスケットは、
頂部端と底部端、
ベース部、
前方シール部、
ガスケット対ガスケット・シール部、および
前記フレンチドア・ガスケットの内部のマグネットの母集団を含む請求項１に記載の冷蔵庫クーラー。
【請求項３】
前記フレンチドア・ガスケットの前記頂部端および前記底部端がシールされるよう構成された請求項２に記載の冷蔵庫クーラー。
【請求項４】
前記フレンチドア・ガスケットは、
前記フレンチドア・ガスケットの頂部端に固定され、前記フレンチドア・ガスケットの頂部端をシールする頂部ガスケット・プラグ、および
前記フレンチドア・ガスケットの底部端に固定され、前記フレンチドア・ガスケットの底部端をシールする底部ガスケット・プラグをさらに含む請求項２に記載の冷蔵庫クーラー。
【請求項５】
前記フレンチドア・ガスケットは、前記ガスケット対ガスケット・シール部から離れる方向に前記前方シール部から延びるシール・フランジをさらに含む請求項２に記載の冷蔵庫クーラー。
【請求項６】
前記左および右磁気フレンチドア・ガスケット・アセンブリのシール・フランジが、前記左および右外周ガスケットを部分的にそれぞれを覆うよう構成された請求項５に記載の冷蔵庫クーラー。
【請求項７】
前記左および右ドア・アセンブリの少なくとも１つが閉位置にあるとき、前記左および右磁気フレンチドア・ガスケット・アセンブリの前記シール・フランジは、前記左および右外周ガスケットのそれぞれと、前記キャビネット前面との間に配置された請求項６に記載の冷蔵庫クーラー。
【請求項８】
前記シール・フランジは、約１／４インチ幅から約５／８インチ幅までである請求項５に記載の冷蔵庫クーラー。
【請求項９】
前記シール・フランジは、約３／８インチ幅である請求項５に記載の冷蔵庫クーラー。
【請求項１０】
前記フレンチドア・ガスケットは、第１および第２ダーツをさらに含み、前記第１ダーツが前記ベース部に対して実質的に平行であり、前記第２ダーツが前記ベース部に対して実質的に直角である請求項２に記載の冷蔵庫クーラー。
【請求項１１】
前記左および右ドア・アセンブリの少なくとも１つは、前記左および右磁気フレンチドア・ガスケットの第１および第２ダーツを受け取るように構成された第１と第２溝を含む請求項１０に記載の冷蔵庫クーラー。
【請求項１２】
前記フレンチドア・ガスケットは、前方タブ受取室および後方タブ受取室をさらに含み、そして頂部および底部ガスケット・プラグはそれぞれが、前方および後方タブ受取室にそれぞれ差し込まれるよう構成された前方および後方タブをさらに含む請求項４に記載の冷蔵庫クーラー。
【請求項１３】
前記頂部および底部ガスケット・プラグの前方および後方タブは、前記フレンチドア・ガスケットの膨らみを低減するよう構成された請求項１２に記載の冷蔵庫クーラー。
【請求項１４】
前記マグネットの母集団の少なくとも１つは、第１端部および第２端部を含み、そして前記第１および第２端部の少なくとも１つは、マイター・カット、中央タブ、およびオフセット・タブの少なくとも１つを含み、そして
前記頂部および底部ガスケット・プラグの少なくとも１つは、前記マグネットが前記フレンチドア・ガスケットにおいて正確な向きにあるとき、前記マグネットのマイター・カット、中央タブおよびオフセット・タブの少なくとも１つと調和するように構成されたタブの母集団を含む請求項４に記載の冷蔵庫クーラー。
【請求項１５】
前記頂部および底部ガスケット・プラグの１つ以上は、前記左および右ドア・アセンブリ上の前記左および右磁気フレンチドア・ガスケット・アセンブリをそれぞれ正確な向きに補助するマークを含む請求項４に記載の冷蔵庫クーラー。
【請求項１６】
少なくとも１つの収容コンパートメントを有するキャビネットに左および右ドア・アセンブリを取り付ける方法であって、
前記収容コンパートメントは、開口した前面を有し、奥壁、底壁、天井壁、左側壁および右側壁により囲まれており、前記底壁、前記天井壁、前記左側壁および前記右側壁がキャビネット前面を構成しており、
（ｉ）キャビネット前面が実質的に垂直上方に向くように実質的に水平位置にキャビネットを向けること、
（ｉｉ）開口した前面に左ドア・アセンブリを配置することであって、そこにおいて、前記左ドア・アセンブリは、頂面、後面および内側面を有する左ドアと、前記左ドアの後面に取り付けられた左外周ガスケットと、そして前記左ドアの内側面に取り付けられた左磁気フレンチドア・ガスケット・アセンブリと、を含み、前記左磁気フレンチドア・ガスケット・アセンブリは前記左外周ガスケットから離れており、
（ｉｉｉ）開口した前面に右ドア・アセンブリを配置することであって、そこにおいて、前記右ドア・アセンブリは、頂面、後面および内側面を有する右ドアと、前記右ドアの後面に取り付けられた右外周ガスケットと、そして前記右ドアの内側面に取り付けられた右磁気フレンチドア・ガスケット・アセンブリと、を含み、前記右磁気フレンチドア・ガスケット・アセンブリは前記右外周ガスケットから離れており、
（ｉｖ）前記左および右ドア・アセンブリの間に頂部および底部Ｔドア取付具を配置して、１つ以上のクランプと一緒に前記左および右のドア・アセンブリおよび前記頂部および底部Ｔドア取付具を留めることであって、そこにおいて、前記頂部および底部Ｔドア取付具は、前記キャビネットが実質的に水平であるとき、前記左ドアの内側面および前記右ドアの内側面が平行であり、正確な距離離れていることを保証するものであり、
（ｖ）前記キャビネットに対して前記左および右ドア・アセンブリを固定するために、左頂部、右頂部、左底部および右底部ヒンジ・アセンブリを取り付けること、
（ｖｉ）前記クランプおよび前記頂部および底部Ｔドア取付具を外すこと、そして
（ｖｉｉ）前記キャビネット前面が実質的に水平に向くように、実質的に垂直位置に前記キャビネットを向けること、を含む、少なくとも１つの収容コンパートメントを有するキャビネットに左および右ドア・アセンブリを取り付ける方法。
【請求項１７】
前記左頂部ヒンジ・アセンブリ、前記左底部ヒンジ・アセンブリおよび前記右底部ヒンジ・アセンブリの少なくとも１つは調整可能であり、そして前記キャビネットが実質的に垂直であるとき、前記左ドアの内側面および前記右ドアの内側面が平行であり、正確な距離離れていることを保証するように、調整可能な左頂部ヒンジ、調整可能な左底部ヒンジおよび調整可能な右底部ヒンジの少なくとも１つを調整することをさらに含む請求項１６に記載の方法。
【請求項１８】
前記左および右ドアの頂面が互いに、そして前記キャビネットの天井壁と平行となるように、前記頂部及び底部Ｔドア取付具を使用して、前記キャビネットの天井壁と左および右ドアの頂面を整列させることをさらに含む請求項１６に記載の方法。
【発明の詳細な説明】
【技術分野】
【０００１】
本発明は、冷蔵庫クーラーのためのドアシールに概ね関連し、特に観音開き形式、即ちフレンチドア形式の冷蔵庫クーラーにおいて使用するための磁気ドア・シール・アセンブリに関する。
【背景技術】
【０００２】
冷蔵庫クーラーは、スーパーマーケット、ガソリンスタンド、競技場、オフィス、レストラン、コーヒーショップなどを含む様々な場所において、販売のために商品を保管し陳列表示するために使用される。典型的な冷蔵庫クーラーには、ソーダ、ミルク、ビール、お茶、スポーツドリンク、栄養飲料などを含む飲み物が保管されている。冷蔵庫クーラーは、販売のための商品が冷たく保持される冷凍ユニットおよび断熱キャビネットを大概含んでいる。冷蔵庫クーラーは、冷蔵庫クーラーの一方の側でヒンジで動く単一ドア、またはフレンチドア構成において冷蔵庫クーラーのエッジに沿ってヒンジでそれぞれのドアが動く観音開きドアを含む各種形式のドア構成を有しているであろうし、ドアが閉められたときクーラーを解放可能にシールするガスケット・アセンブリを含んでいるかもしれない。典型的なフレンチドア構成は、ガスケット・アセンブリが解放可能なシールを形成するために接触する中央に垂直な縦仕切りを必要とする。垂直な縦仕切りおよびガスケット・アセンブリは、冷蔵庫クーラーの中を低温度に維持するための補助となる。垂直の縦仕切りが冷蔵庫クーラーの内部と外部環境との間の伝熱の低減には有益であるが、それは冷蔵庫クーラーの内部の価値のあるスペースを占領し、特に販売のために商品を陳列表示するために用いられる冷蔵庫クーラーにおいては、その直接後ろにある商品へのアクセスを邪魔するものである。
【発明の概要】
【発明が解決しようとする課題】
【０００３】
したがって、垂直な縦仕切りを必要することなく、解放可能にシールし、そして冷蔵庫クーラーの中を低温度に維持することができる磁気フレンチドア・ガスケットを有する、改良された冷蔵庫クーラーの必要性がある。好ましくは、改良された冷蔵庫クーラーのフレンチドアは、冷蔵庫クーラーに収容された商品を消費者が容易に見ることができる絶縁ガラスパネルを含む。フレンチドアのドアフレームのサイズが縮小され、絶縁ガラスパネルのサイズが大きくなれば、より多くの商品が消費者により視認することができる。更に、垂直な縦仕切りを除去することにより、販売のためにより多くの商品を陳列表示することができ、追加のスペースが冷蔵庫クーラーの内部で利用可能となり、これらの商品へのアクセスの容易さが改良される。さらに、垂直な縦仕切りを有していない改良された冷蔵庫クーラーの内部に収容された商品は、消費者によって更によく視認することができ、それによって、商品の販売を増加させる可能性がある。幾つかの商店においては、商品が収容され陳列表示される個々のスペースが、商品メーカー、サプライヤー、ディストリビューターなどに販売される。したがって、商品のための冷蔵庫クーラーの内部が利用可能となり、更に良く視認できるスペースは、スーパーマーケット、ガソリン・スタンド、競技場、オフィス、レストラン、コーヒーショップなどに対して、商品を購入する消費者からだけではなく、冷蔵庫クーラーの内部の収容スペースを購入するメーカー、サプライヤー、ディストリビューターなどからの追加収入をもたらすであろう。
【課題を解決するための手段】
【０００４】
本発明の一態様は、少なくとも１つの収容コンパートメントを備えたキャビネットを有する冷蔵庫クーラーであり、そこにおける収容コンパートメントは前面開口を有しており、垂直な奥壁、水平な底壁、水平な天井壁、垂直な左側壁および垂直な右側壁により囲まれている。好ましくは、底壁、天井壁、左側壁および右側壁が、キャビネット前面を形成する。好ましくは、冷蔵庫クーラーは、左ドア・アセンブリおよび右ドア・アセンブリが閉位置にあるとき、キャビネット前面に対して閉じてシールするためにキャビネットに回転可能に取り付けられた左ドア・アセンブリ、およびキャビネット前面の一部に対して閉じてシールするためにキャビネットに回転可能に取り付けられた右ドア・アセンブリを含む。左ドア・アセンブリは次のものを含んでいる：（ｉ）前面、後面、外側面および内側面を有する実質的な長方形の左ドア；（ｉｉ）左ドアの後面に取り付けられた左外周ガスケットであって、その左外周ガスケットはマイター・カットおよびシールド・コーナーを備え、そして、左外周ガスケットは、左ドアが閉位置にあるとき、前面の一部に対して接触し、シールする；（ｉｉｉ）左ドアの内側面に取り付けられた左磁気フレンチドア・ガスケットであって、その左磁気フレンチドア・ガスケットが左外周ガスケットから離れている；そして（ｉｖ）左ドアに取り付けられた１つ以上のドアストップ。右ドア・アセンブリは次のものを含んでいる：（ｉ）前面、後面、外側面および内側面を有する実質的に長方形の右ドア；（ｉｉ）右ドアの後面に取り付けられた右外周ガスケットであって、その右外周ガスケットはマイター・カットおよびシールド・コーナーを備え、そして、右外周ガスケットは、右ドアが閉位置にあるとき、キャビネット前面の一部に対して接触し、シールする；（ｉｉｉ）右ドアの内側面に取り付けられた右磁気フレンチドア・ガスケットであって、その右磁気フレンチドア・ガスケットは右外周ガスケットから離れている；そして（ｉｖ）ドアに取り付けられた１つ以上のドアストップ。左および右ドアが閉じられるとき、左および右磁気フレンチドア・ガスケットは互いに磁気的に引きつけられ、左および右ドアが開かれるとき、左および右磁気フレンチドア・ガスケットは磁気的に互いに反発する。
【０００５】
本発明の別の態様は、少なくとも１つの収容コンパートメントを有するキャビネットに左および右ドア・アセンブリを取り付ける方法であり、そこにおける収容コンパートメントは前面開口を有しており、垂直な奥壁、水平な底壁、水平な天井壁、垂直な左側壁および垂直な右側壁により囲まれている。好ましくは、底壁、天井壁、左側壁および右側壁が、キャビネット前面を形成する。この方法は、好ましくは、次のものを含む：（ｉ）キャビネット前面開口が実質的に垂直上方に向くように実質的に水平位置にキャビネットを方向付けること；（ｉｉ）キャビネット前面上に左ドア・アセンブリを配置することであって、その左ドア・アセンブリが、前面、後面、外側面および内側面を有する実質的に長方形の左ドアを備えており；（ｉｉｉ）キャビネット前面上に右ドア・アセンブリを配置することであって、その右ドア・アセンブリが、前面、後面、外側面および内側面を有する実質的に長方形の右ドアを備えており；（ｉｖ）左および右ドア・アセンブリの間に頂部および底部Ｔドア取付具を配置すること、およびクランプと一緒に左および右フレンチドアおよび頂部および底部Ｔドア取付具を留めることであって、そこにおいて頂部および底部Ｔドア取付具は、キャビネットが実質的に水平な場合、左ドア・アセンブリの内側面および右ドア・アセンブリの内側面が平行であり、正確な距離離れていることを保証しており；（ｖ）調整可能な左上ヒンジ・アセンブリを取り付けること；（ｖｉ）右頂部ヒンジ・アセンブリを取り付けること；（ｖｉｉ）左底部ヒンジ・アセンブリを取り付けること；（ｖｉｉｉ）右底部ヒンジ・アセンブリを取り付けること；（ｉｘ）クランプおよび頂部および底部Ｔドア取付具を取り外すこと；そして（ｘ）キャビネット前面が実質的に水平に向くように、キャビネットを実質的に水平位置に方向付けることであって、キャビネットが実質的に垂直の場合、左ドア・アセンブリの内側面および右ドア・アセンブリの内側面が平行であり、正確な距離離れていることを保証するように、調整可能な左頂部ヒンジを調節すること、を含む。
【図面の簡単な説明】
【０００６】
本発明のこれらのおよび他の特徴、態様および利点は、以下の詳細な記述、付加された請求項および添付された図面からより明白になるであろうし、図面は本発明の典型的な実施例に従った特徴を説明している。
【図１】図１は、本発明の一実施例に従った、フレンチドアが開かれているフレンチドアを有する冷蔵庫クーラーの右正面斜視図である。
【図２】図２は、本発明の一実施例に従った、フレンチドアが閉じられているフレンチドアを有する冷蔵庫クーラーの右正面斜視図である。
【図３】図３は、本発明の一実施例に従った、フレンチドアが閉じられているフレンチドアを有する冷蔵庫クーラーの右正面斜視図である。
【図４Ａ】図４Ａは、本発明の一実施例に従った、左ドア・アセンブリの前面の右正面斜視図である。
【図４Ｂ】図４Ｂは、本発明の一実施例に従った、左ドア・アセンブリの後部の左背面斜視図である。
【図５Ａ】図５Ａは、本発明の一実施例に従った、右ドア・アセンブリの前面の右正面斜視図である。
【図５Ｂ】図５Ｂは、本発明の一実施例に従った、左ドア・アセンブリの後部の左背面斜視図である。
【図６】図６は、本発明の一実施例に従った、フレンチドアが閉じられている冷蔵庫クーラーの一部を示す上面図である。
【図７】図７は、本発明の一実施例に従った、フレンチドアが閉じられている冷蔵庫クーラーの一部を示す上面断面図である。
【図８】図８は、本発明の一実施例に従った、外周ガスケットの後部平面図である。
【図８Ａ】図８Ａは、本発明の一実施例に従った、外周ガスケットについての詳細な右断面図である。
【図８Ｂ】図８Ｂは、本発明の一実施例に従った、外周ガスケットについての詳細な右断面図である。
【図８Ｃ】図８Ｃは、本発明の一実施例に従った、外周ガスケットについての詳細な右断面図である。
【図９】図９は、本発明の一実施例に従った、左磁気フレンチドア・ガスケット・アセンブリの右分解斜視図である。
【図９Ａ】図９Ａは、本発明の一実施例に従った、左磁気フレンチドア・ガスケット・アセンブリの正面平面図である。
【図９Ｂ】図９Ｂは、本発明の一実施例に従った、左磁気フレンチドア・ガスケット・アセンブリの左断面図である。
【図１０】図１０は、本発明の一実施例に従った、右磁気フレンチドア・ガスケット・アセンブリの右分解斜視図である。
【図１０Ａ】図１０Ａは、本発明の一実施例に従った、右磁気フレンチドア・ガスケット・アセンブリの正面平面図である。
【図１０Ｂ】図１０Ｂは、本発明の一実施例に従った、右磁気フレンチドア・ガスケット・アセンブリの左断面図である。
【図１１】図１１は、本発明の一実施例に従った、磁気フレンチドア・ガスケットの正面平面図である。
【図１１Ａ】図１１Ａは、本発明の一実施例に従った、磁気フレンチドア・ガスケットの左断面図である。
【図１２】図１２は、本発明の一実施例に従った、左ドアが部分的に開いた冷蔵庫クーラーの一部を示す上面断面図である。
【図１３Ａ】図１３Ａは、本発明の一実施例に従った、第１の細長いフレキシブル・マグネットの正面平面図である。
【図１３ＡＡ】図１３ＡＡは、本発明の一実施例に従った、第１の細長いフレキシブル・マグネットの左断面図である。
【図１３Ｂ】図１３Ｂは、本発明の一実施例に従った、第２の細長いフレキシブル・マグネットの正面平面図である。
【図１３ＢＢ】図１３ＢＢ、本発明の一実施例に従った、第２の細長いフレキシブル・マグネットの左断面図である。
【図１３Ｃ】図１３Ｃは、本発明の一実施例に従った、第３の細長いフレキシブル・マグネットの正面平面図である。
【図１３ＣＣ】図１３ＣＣは、本発明の一実施例に従った、第３の細長いフレキシブル・マグネットの左断面図である。
【図１４Ａ】図１４Ａは、本発明の一実施例に従った、左頂部ガスケット・プラグの上面図である。
【図１４Ｂ】図１４Ｂは、本発明の一実施例に従った、左頂部ガスケット・プラグの正面平面図である。
【図１４Ｃ】図１４Ｃは、本発明の一実施例に従った、左頂部ガスケット・プラグの底面平面図である。
【図１４Ｄ】図１４Ｄは、本発明の一実施例に従った、左頂部ガスケット・プラグの右斜視図である。
【図１５Ａ】図１５Ａは、本発明の一実施例に従った、左底部ガスケット・プラグの上面図である。
【図１５Ｂ】図１５Ｂは、本発明の一実施例に従った、左底部ガスケット・プラグの正面平面図である。
【図１５Ｃ】図１５Ｃは、本発明の一実施例に従った、左底部ガスケット・プラグの底面平面図である。
【図１５Ｄ】図１５Ｄは、本発明の一実施例に従った、左底部ガスケット・プラグの右斜視図である。
【図１６Ａ】図１６Ａは、本発明の一実施例に従った、右頂部ガスケット・プラグの上面図である。
【図１６Ｂ】図１６Ｂは、本発明の一実施例に従った、右頂部ガスケット・プラグの正面平面図である。
【図１６Ｃ】図１６Ｃは、本発明の一実施例に従った、右頂部ガスケット・プラグの底面平面図である。
【図１６Ｄ】図１６Ｄは、本発明の一実施例に従った、右頂部ガスケット・プラグの右斜視図である。
【図１７Ａ】図１７Ａは、本発明の一実施例に従った、右底部ガスケット・プラグの背面平面図である。
【図１７Ｂ】図１７Ｂは、本発明の一実施例に従った、右底部ガスケット・プラグの上面図である。
【図１７Ｃ】図１７Ｃは、本発明の一実施例に従った、右底部ガスケット・プラグの正面平面図である。
【図１７Ｄ】図１７Ｄは、本発明の一実施例に従った、右底部ガスケット・プラグの底面平面図である。
【図１７Ｅ】図１７Ｅは、本発明の一実施例に従った、右底部ガスケット・プラグの右斜視図である。
【図１８】図１８は、本発明の一実施例に従った、調整可能な左頂部ヒンジ・アセンブリの右斜視図である。
【図１９Ａ】図１９Ａは、本発明の一実施例に従った、調整可能な左頂部ヒンジ・ブラケットの上面図である。
【図１９Ｂ】図１９Ｂは、本発明の一実施例に従った、調整可能な左頂部ヒンジ・ブラケットの正面平面図である。
【図２０】図２０は、本発明の一実施例に従った、スプリング・カートリッジ・アセンブリおよび頂部ヒンジ・ドア・ブラケットの右斜視図である。
【図２１】図２１は、本発明の一実施例に従った、右頂部ヒンジ・アセンブリの右斜視図である。
【図２２Ａ】図２２Ａは、本発明の一実施例に従った、右頂部ヒンジ・ブラケットの上面図である。
【図２２Ｂ】図２２Ｂは、本発明の一実施例に従った、右頂部ヒンジ・ブラケットの正面平面図である。
【図２２Ｃ】図２２Ｃは、本発明の一実施例に従った、右頂部ヒンジ・ブラケットの左斜視図である。
【図２３】図２３は、本発明の一実施例に従った、底部ヒンジ・ブラケットの右斜視図である。
【図２４Ａ】図２４Ａは、本発明の一実施例に従った、Ｔドア取付具の左上斜視図である。
【図２４Ｂ】図２４Ｂは、本発明の一実施例に従った、Ｔドア取付具の左下斜視図である。
【図２５Ａ】図２５Ａは、本発明の一実施例に従った、左頂部ヒンジ取付具アセンブリの上面図である。
【図２５Ｂ】図２５Ｂは、本発明の一実施例に従った、左頂部ヒンジ取付具アセンブリの右平面図である。
【図２５Ｃ】図２５Ｃは、本発明の一実施例に従った、左頂部ヒンジ取付具アセンブリの右斜視図である。
【図２６Ａ】図２６Ａは、本発明の一実施例に従った、右頂部ヒンジ取付具アセンブリの上面図である。
【図２６Ｂ】図２６Ｂは、本発明の一実施例に従った、右頂部ヒンジ取付具アセンブリの右平面図である。
【図２６Ｃ】図２６Ｃは、本発明の一実施例に従った、右頂部ヒンジ取付具アセンブリの右斜視図である。
【図２７Ａ】図２７Ａは、本発明の一実施例に従った、底部ヒンジ取付具アセンブリの正面平面図である。
【図２７Ｂ】図２７Ｂは、本発明の一実施例に従った、底部ヒンジ取付具アセンブリの右平面図である。
【図２７Ｃ】図２７Ｃは、本発明の一実施例に従った、底部ヒンジ取付具アセンブリの右斜視図である。
【図２８】図２８は、本発明の一実施例に従った、クーラーのフレンチドアを取り付ける一方法のフローチャートである。
【図２９】図２９は、本発明の一実施例に従った、クーラーのフレンチドアを取り付ける一方法の正面平面図である。
【図２９Ａ】図２９Ａは、本発明の一実施例に従った、クーラーのフレンチドアを取り付ける一方法の詳細な正面平面図である。
【図３０Ａ】図３０Ａは、本発明の一実施例に従った、クーラーのフレンチドアを取り付ける一方法において使用される右頂部ヒンジ取付具アセンブリの上面図である。
【図３０Ｂ】図３０Ｂは、本発明の一実施例に従った、クーラーのフレンチドアを取り付ける一方法において使用される左頂部ヒンジ取付具アセンブリの上面図である。
【図３１】図３１は、本発明の一実施例に従った、クーラーのフレンチドアを取り付ける一方法において使用される底部ヒンジ取付具アセンブリの正面図である。
【発明を実施するための形態】
【０００７】
本発明の実施例を詳細に説明する前に、本発明が以下に記述された若しくは以下の図面の中に描かれた詳細な構造、および構成要素の配置に対する適用に限定されるものではないことを理解すべきである。本発明は、他の実施例、および各種方法において繰り返し行うことができ、実行することができる。さらに、ここに使用される表現および専門用語は説明のためであり、本発明を限定するように見なされるべきでないことは理解されるべきである。「含む」、「備える」、または「有する」の使用、およびそこにおける変化は、その後に表示された項目、および追加の項目と同様にその等価物を包含することを意味する。
【０００８】
冷蔵庫クーラーの一実施例は、左手および右手の部品で形成されており、右手部品は左手部品と実質的に同じである。以下において、これらの部品と同様の部品は同じ参照数字で示され、例えば、右ドア４１ｂ上の右磁気フレンチドア・ガスケット・アセンブリ２００ｂの部品は、「ａ」と「ｂ」を交換することにより、左ドア４１ａ上の左磁気フレンチドア・ガスケット・アセンブリ２００ａの同様の部分と区別される。左手および右手の部品の間に違いがある場合には、それらの違いに気づくであろう。「ａ」または「ｂ」が参照数字に続いていない場合には、そのような部品は左手および右手の部品において同一かもしれない。
【０００９】
図１および２は、冷蔵庫クーラー１０の一実施例の幾つかの主要な構成要素を示す。冷蔵庫クーラー１０は、少なくとも１つの収容コンパートメント１４を有するキャビネット１２を含む。収容コンパートメント１４は前面開口を有し、垂直な奥壁１５、水平な底壁１６、水平な天井壁１８、垂直な左側壁２０ａおよび垂直な右側壁２０ｂにより囲まれている。水平な底壁１６、水平な天井壁１８、垂直な左側壁２０ａおよび垂直な右側壁２０ｂは各々、ガスケットがシールすることができるキャビネット１２の前面２４の部分を形成する。キャビネット１２の壁面は、各種絶縁材で熱的に絶縁されてもよく、例えば、限定されるものではないが、ファイバーグラス絶縁物、または連続気泡フォーム若しくは独立気泡フォーム、例えばポリスチレンまたはポリウレタンで構成される。収容コンパートメント１４の内部は、販売のための商品を配置し、保持し、および／または貯蔵するように、棚、かごなどがあってもよい。市販の棚、かごおよび／または他の商品収納装置又は陳列表示装置は、収容コンパートメント１４の内部に配置されてもよい。
【００１０】
再び図３に示すように、冷蔵庫クーラー１０の一実施例はさらに２つのドア・アセンブリである、左ドア・アセンブリ４０ａおよび右ドア・アセンブリ４０ｂを含んでおり、それらはヒンジ・アセンブリ５００ａ、５００ｂおよび５５０によってキャビネット１２に回転自在に取り付けられている。ここで、図４Ａおよび４Ｂを参照すると、左ドア・アセンブリ４０ａの一実施例は、左ドア前面４２ａ、左ドア後面４３ａ、左ドア外側面４４ａ、左ドア内側面４５ａ、左ドア頂面４６ａおよび左ドア底面４７ａ（図示せず）を有する実質的に長方形の左ドア４１ａを備える。この実施例において、左ドア４１ａは、頂部フレーム部材４９ａ、外側部材５０ａ、底部フレーム部材５１ａおよび内側フレーム部材５２ａで形成された左ドア・フレーム４８ａを含む。絶縁ガラスパネル５３ａは、左ドア・フレーム４８ａの中に保持される。ここで、図５Ａおよび５Ｂを参照すると、右ドア・アセンブリ４０ｂの一実施例は、右ドア前面４２ｂ、右ドア後面４３ｂ、右ドア外側面４４ｂ、右ドア内側面４５ｂ、右ドア頂面４６ｂおよび右ドア底面４７ｂ（図示せず）を有する実質的に長方形の右ドア４１ｂを備える。この実施例において、右ドア４１ｂは、頂部フレーム部材４９ｂ、外側フレーム部材５０ｂ、底部フレーム部材５１ｂおよび内側フレーム部材５２ｂで形成された右ドアフレーム４８ｂを含む。絶縁ガラスパネル５３ｂは、右ドア・フレーム４８ｂの中に保持される。好ましくは、ドア・フレーム部材４９ａ、４９ｂ、５０ａ、５０ｂ、５１ａ、５１ｂ、５２ａ、５２ｂは、アルミニウム合金で形成されている。しかしながら、他の実施例において、ドア・フレーム部材４９ａ、４９ｂ、５０ａ、５０ｂ、５１ａ、５１ｂ、５２ａ、５２ｂは、限定されるものではないが、鋼、ステンレススチール、チタンおよび／または他の純金属若しくは金属合金を含む各種金属で構成されてもよい。別の実施例において、ドア・フレーム部材４９ａ、４９ｂ、５０ａ、５０ｂ、５１ａ、５１ｂ、５２ａ、５２ｂは、限定されるものではないが、プラスチック、木材、ファイバーグラス、炭素繊維あるいは他の合成物を含む他の各種材料で構成されてもよい。この実施例において、内側ドア・フレーム部材５２ａ、５２ｂは、この明細書において他のところでより完全に述べるように、磁気フレンチドア・ガスケット・アセンブリ２００ａ、２００ｂのダーツを受け入れるための溝を有する。さらに、一実施例において、ドア・フレーム部材は、マイター・カットされ、左および右ドア・フレーム４８ａ、４８ｂを形成するために、限定されるものではないが、ネジ、リベット、接着剤、溶接、ろう付けなどを含む各種手段により互いに固定してもよい。他の実施例においては、左および右ドア・フレーム４８ａ、４８ｂを、冷蔵庫ドアまたは一般的なドアを構成するための当分野において知られた任意の方法で構成してもよい。ある実施例においては、ドア・フレーム部材４９ａ、４９ｂ、５０ａ、５０ｂ、５１ａ、５１ｂ、５２ａ、５２ｂの幅は、最小化されて、絶縁ガラスパネル５３ａ、５３ｂのサイズが、冷蔵庫クーラー１０に収容された多くの商品を消費者によって視認できるように、大きくてもよい。
【００１１】
図４Ａ、４Ｂ、５Ａおよび５Ｂに示すように、このある実施例において、左ドア・アセンブリ４０ａおよび右ドア・アセンブリ４０ｂは、左および右ドア４１ａ、４１ｂの後面４３ａ、４３ｂにそれぞれ取り付けられたガスケット・リテーナ６０ａ、６０ｂ、６２ａ、６２ｂ、６４ａ、６４ｂ、６６ａ、６６ｂをさらに含む。従って、左ドア４１ａの後面４３ａに取り付けられるのは、左ドア頂部ガスケット・リテーナ６０ａ、左ドア外側ガスケット・リテーナ６２ａ、左ドア底部ガスケット・リテーナ６４ａ、および左ドア内側ガスケットリテーナ６６ａである。同様に、右ドア４１ｂの後面４３ｂに取り付けられるのは、右ドア頂部ガスケット・リテーナ６０ｂ、右ドア外側ガスケット・リテーナ６２ｂ、右ドア底部ガスケット・リテーナ６４ｂ、および右ドア内側ガスケット・リテーナ６６ｂ（図示せず）である。ガスケット・リテーナ６０ａ、６０ｂ、６２ａ、６２ｂ、６４ａ、６４ｂ、６６ａ、６６ｂは、外周ガスケットのダーツを受け入れるための溝を有していてもよく、そして内側ガスケット・リテーナ６６ａは、この明細書において他のところでより完全に述べるように、磁気フレンチドア・ガスケット・アセンブリ２００ａ、２００ｂのダーツを受け入れるための追加の溝を有する。好ましくは、ガスケット・リテーナ６０ａ、６０ｂ、６２ａ、６２ｂ、６４ａ、６４ｂ、６６ａ、６６ｂは、黒色の押し出しポリ塩化ビニル（ＰＶＣ）で構成されているが、他の実施例においては、限定されるものではないが、金属、プラスチック、木材、ファイバーグラス、炭素繊維、あるいは他の合成物を含む様々な他の材料が使用されてもよい。黒以外の色は本開示の範囲から逸脱しない範囲で使用され得ることは理解されるであろう。ガスケット・リテーナ６０ａ、６０ｂ、６２ａ、６２ｂ、６４ａ、６４ｂ、６６ａ、６６ｂは、左および右ドア４１ａ、４１ｂの後面４３ａ、４３ｂに対して、限定されるものではないが、ネジ、リベット、接着剤、溶接、ろう付けなどを含む各種の手段により取り付けられてもよい。他の実施例においては、外周ガスケットおよびフレンチドア・ガスケットを、如何なるガスケット・リテーナも使用することなく、左および右ドア４１ａ、４１ｂに直接的に当分野において知られた任意の方法で固定してもよい。
【００１２】
図４Ａ、４Ｂ、５Ａおよび５Ｂは、左および右ドア・フレーム４８ａ、４８ｂおよび絶縁ガラスパネル５３ａ、５３ｂを備えた左および右ドア・アセンブリ４０ａ、４０ｂを説明しているが、左および右ドア・アセンブリ４０ａ、４０ｂのある実施例においては、他のドア構成が使用されてもよい。例えば、一実施例において、左および右ドア・アセンブリ４０ａ、４０ｂのそれぞれがドアパネルを含んでもよく、そこにおいて、ドアパネルは中身が詰まった固体、または中空、および／または絶縁物が充填されていてもよい。さらに、図１、２、３、４Ａ、４Ｂ、５Ａ、５Ｂに示されているように、ハンドル５６ａ、５６ｂは、内側面４５ａ、４５ｂに近接した左および右ドア４１ａ、４１ｂの前面４２ａ、４２ｂに取り付けられている。当分野において知られたハンドルまたは任意のドア開放手段は、限定されるものではないが、ノブ、ストラップ、レバーなどを含む左および右ドア４１ａ、４１ｂを開くために使用されてもよいことが理解されべきである。
【００１３】
図４Ｂおよび５Ｂは、外周ガスケット１００ａ、１００ｂの一実施例を説明している。外周ガスケット１００ａ、１００ｂは、左および右ドア４１ａ、４１ｂの後面４３ａ、４３ｂに取り付けられている。図６および７に示されているように左および右ドア・アセンブリ４０ａ、４０ｂが閉じられるとき、外周ガスケット１００ａ、１００ｂは、キャビネット前面２４に対して接触し、シールする。ここで、図８を参照すると、外周ガスケット１００の一実施例が詳細に示されている。このある実施例において、周囲ガスケット１００は、マイター・カットされ、コーナーで一緒にシールされたフレキシブル・ガスケット材の押し出された部分で構成されている。好ましくは、外周ガスケット１００のために使用されるフレキシブル・ガスケット材は、柔軟であり、黒色である押し出しポリ塩化ビニル（ＰＶＣ）であるが、他の実施例において、限定されるものではないが、天然若しくは合成ゴム、または当分野において知られた他の適切なエラストマーを含む様々な他の材料が使用されてもよい。黒以外の色は本開示の範囲から逸脱しない範囲で使用され得ることは理解されるであろう。ある一実施例において、フレキシブル・ガスケット材はシリコーン接着剤を使用して、互いにシールされるが、他の実施例においては、限定されるものではないが、エポキシ、ゴムのり、シアノアクリレート、熱接着剤、または当分野において知られた他の接着剤を含む他の接着材料を使用してもよい。さらなる他の実施例においては、例えば、フレキシブル・ガスケット材は、限定されるものではないが、ホットガス溶接、熱シール、押出し溶接、熱板溶接、超音波溶接、溶剤結合、レーザー溶接などを含む、当分野において知られたプラスチック溶接技術を使用して互いにシールされてもよい。図８Ｂおよび８Ｃにおいて詳細に示されているように、外周ガスケット１００の一実施例は、各種要素を含んでおり、それらの全てがガスケット材の単一ピースとして押し出されてもよい。外周ガスケット１００は、ベース部１０１、ベース部１０１の第１側面から延び、ベース部１０１に実質的に直角であるダーツ１０２、内側タブ１０４、外側タブ１０６、ベース部１０１の第２側面から延びるウェブ１０８、およびウェブ１０８に取り付けられたシール面部１１６を有してもよい。シール面部１１６は、３つの小室１１０、１１２、１１４およびシール面１１８を含む。外周ガスケット１００のシール面部１１６のこのある実施例においては、３つの小室を含んでいるが、他の実施例においては、小室をより少い数かより多い数を使用してもよい（例えば、１つの小室、２つの小室、４つの小室、５つの小室など）。一実施例において、細長いフレキシブル・マグネット１２０は、小室１１０に差し込まれていてもよい。細長いフレキシブル・マグネット１２０は、キャビネット１２の前面２４に取り付けられ、それによりキャビネット前面２４の一部に外周ガスケット１００をシールすることを補助する。細長いフレキシブル・マグネット１２０の極性の向きは、（Ｓ）極が近接のキャビネット前面２４であるか、または（Ｎ）極が近接のキャビネット前面２４であるかどうかにかかわらず、それはキャビネット前面２４の金属に引き付けられるので、重要な意味を持つものではない。いくつかの実施例においては、小室１１０、１１２、１１４は凹みまたは中空であってもよく、他の実施例においては、例えば、細長いフレキシブル・マグネットが、小室１１０、１１２、および／または１１４の任意の組み合わせに差し込まれてもい。細長いフレキシブル・マグネットとしては、当分野において知られた市販の磁性材料の如何なる形式を含んでもよい。ダーツ１０２は、左ドア４１ａに外周ガスケット１００ａを取り外し可能に張り付け、右ドア４１ｂに外周ガスケット１００ｂを取り外し可能に張り付けるために、ドアフレーム部材４９ａ、４９ｂ、５０ａ、５０ｂ、５１ａ、５１ｂ、５２ａ、５２ｂの中の溝に差し込まれてもよい。ある実施例においては、外周ガスケット１００はダーツを含んでいなくてもよいが、その代り、左および右ドア４１ａ、４１ｂに対して、限定されるものではないが、ネジ、リベット、接着剤などを含む各種の固定手段により固定されてもよい。図８Ｂに示すように、磁気フレンチドア・ガスケット・アセンブリ２００ａが外周ガスケット１００ａをオーバーラップして、適切にシールすることができることを保証するために、外側タブ１０６は、近接の左ドア内側面４５ａである外周ガスケット１００ａ側を縮小してもよい。このある実施例においては、近接の左ドア内側面４５ａである外周ガスケット側の外側タブ１０６は、約１／８インチ縮小されるが、他の実施例においては、磁気フレンチドア・ガスケット・アセンブリ２００ａが外周ガスケット５４ａをオーバーラップし、適切にシールできることを保証するように、外側タブ１０６を相当量、例えば、大体約１／８インチ縮小することができる（例えば、約１／１６インチ、約１／４インチ、約３／８インチ、など）。左および右ドア・アセンブリ４０ａ、４０ｂが閉じられるとき、シール面１１８は、キャビネット前面２４に対して接触し、解放可能にシールする。外側タブ１０６は、同様の方法で、近接の右ドア内側面４５ｂである外周ガスケット１００ｂ側を縮小してもよい。
【００１４】
図１、６および７に再び返って、冷蔵庫クーラー１０に張り付けられた磁気フレンチドア・ガスケット・アセンブリ２００ａ、２００ｂの一実施例を説明する。一つのある実施例において、磁気フレンチドア・ガスケット・アセンブリ２００ａ、２００ｂは、外周ガスケット１００ａ、１００ｂから独立したガスケットである。独立した磁気フレンチドア・ガスケット・アセンブリ２００ａ、２００ｂおよび外周ガスケット１００ａ、１００ｂを利用することにより、商業的環境において、それらが左および右ドア・アセンブリ４０ａ、４０ｂの繰り返しの開閉により、すり減った後、フレンチドア・ガスケット・アセンブリ２００ａ、２００ｂを交換することができる。ある場合には、磁気フレンチドア・ガスケット・アセンブリ２００ａ、２００ｂが、外周ガスケット１００ａ、１００ｂより早くすり切れるかもしれないが、磁気フレンチドア・ガスケット・アセンブリ２００ａ、２００ｂおよび外周ガスケット１００ａ、１００ｂを個々に交換することが可能であり、必要に応じて、メインテナンス・コストを低減する助けとなる。一実施例において、磁気フレンチドア・ガスケット・アセンブリ２００ａ、２００ｂは、左および右ドア４１ａ、４１ｂの内側面４５ａ、４５ｂに張り付けられる。図６および７に示すように、左および右ドア・アセンブリ４０ａ、４０ｂが閉じられるとき、磁気フレンチドア・ガスケット・アセンブリ２００ａ、２００ｂは、互いに対して接触し、シールするかもしれない。ここで、図９、９Ａ、９Ｂ、１０、１０Ａおよび１０Ｂを参照すると、磁気フレンチドア・ガスケット・アセンブリ２００ａ、２００ｂの一実施例が、分解図に詳細に示されている。右磁気フレンチドア・ガスケット・アセンブリ２００ｂが、左磁気フレンチドア・ガスケット・アセンブリ２００ａと実質的に同じであることが理解される。これらのガスケット・アセンブリの部分が同じ参照符号で以下に明示されているように、右ドア４１ｂ上の右磁気フレンチドア・ガスケット・アセンブリ２００ｂの部品は、「ａ」と「ｂ」を交換することにより、左ドア４１ａ上の左磁気フレンチドア・ガスケット・アセンブリ２００ａの部品のように区別される。左および右磁気フレンチドア・ガスケット・アセンブリ２００ａ、２００ｂの間に違いがある場合には、それらの違いに気づくであろう。図９、９Ａおよび９Ｂに示された、このある実施例において、左磁気フレンチドア・ガスケット・アセンブリ２００ａは、左押し出しフレキシブル・フレンチドア・ガスケット２０１ａ、左頂部ガスケット・プラグ３００ａ、左底部ガスケット・プラグ３１０ａ、および第１と第２マグネット４００とマグネット４１０ａを含む。図１０、１０Ａおよび１０Ｂに示されているように、右磁気フレンチドア・ガスケット・アセンブリ２００ｂは、右押し出しフレキシブル・フレンチドア・ガスケット２０１ｂ、右頂部ガスケット・プラグ３００ｂ、右底部ガスケット・プラグ３１０ｂ、および第１と第２マグネット４１２とマグネット４１０ｂを含む。
【００１５】
好ましくは、フレンチドア・ガスケット２０１ａのために使用されたフレキシブル・ガスケット材は、柔軟であり、黒色である押し出しポリ塩化ビニル（ＰＶＣ）であるが、他の実施例においては、限定されるものではないが、天然若しくは合成ゴム、または当分野において知られた他の適切なエラストマーを含む様々な他の材料が使用されてもよい。黒以外の色は本開示の範囲から逸脱しない範囲で使用され得ることは理解されるであろう。図１１および１１Ａにおいて、フレンチドア・ガスケット２０１の一実施例が各種要素を含むことが示されており、それらのすべてはガスケット材の単一ピースとして押し出される。フレンチドア・ガスケット２０１は、ベース部２０２、前方シール部２２０、後方シール部２２８、およびガスケット対ガスケット・シール部２２６を有してもよい。第１ダーツ２０４は、ベース部２０２に対して実質的に平行に配置され、前方シール部２２０と後方シール部２２８との間のベース部２０２の中央部位の近くのベース部２０２の第１サイドに接続される。第１ダーツ２０４は、左および右ドア内側ガスケット・リテーナ６６ａ、６６ｂの溝に挿入することができる。ベース部２０２の第１サイドから実質的に直角に延び、後方シール部２２８に近接した、第２ダーツ２０６がある。第２ダーツ２０６は、左および右ドア内側フレーム部材５２ａ、５２ｂの溝に挿入することができる。ある実施例においては、食品、水、汚れ、ダスト、および／または他の異物が第２ダーツ２０６に入り込むのを防止するために、シリコーン詰め物またはいくつかの他の適切な市販のシール材を使用して、磁気フレンチドア・ガスケット・アセンブリ２００ａ、２００ｂの頂部と底部で第２ダーツ２０６がシールされてもよい。第１ダーツ２０４および第２ダーツ２０６が互いに実質的に直角に配置されているため、フランチドア・ガスケット・アセンブリ２００ａ、２００ｂが左および右ドア４１ａ、４１ｂから引き離されることになる緩みを低減している。さらに、第１ダーツ２０４および第２ダーツ２０６の向きおよび位置は、手による容易な取り付けを可能とする。ベース部２０２に実質的に平行に第１ダーツ２０４を配置することによって、フレンチドア・ガスケット・アセンブリ２００ａ、２００ｂは、第１ダーツ２０４の後ろに直接置かれた指で左および右ドア内側ガスケット・リテーナ６６ａ、６６ｂ（図７参照）の溝に押し込むことができる。後方シール材２２８に近接して第２ダーツ２０６を位置決めすることにより、フレンチドア・ガスケット・アセンブリ２００ａ、２００ｂは、ウェブ２２９の後ろのベース部２０２の第２サイドに直接置かれた指で左および右ドア内側フレーム部材５２ａ、５２ｂの溝に押し込むことができる（図７参照）。従って、フレキシブル・ガスケット２０１のいずれの部分も、第１および第２ダーツ２０４、２０６の後ろに、そして調和して十分力を直接及ぼす能力を妨げるものではない。
【００１６】
ベース部２０２から延びており、後方シール部２２８から離れているのは、タブ２０８である。ウェブ２２９は、後方タブ受取室２３０を規定する、ベース部２０２からガスケット対ガスケット・シール部２２６に延びており、そこにおいて後方タブ受取室２３０は、この明細書において他のところでより完全に述べるように、左頂部ガスケット・プラグ３００ａ、左底部ガスケット・プラグ３１０ａ、右頂部ガスケット・プラグ３００ｂ、右底部・ガスケット・プラグ３１０ｂのタブを受け入れるように構成されている。ウェブ２１６はベース部２０２を前方シール部２２０に接続し、ウェブ２１８は前方シール部２２０をガスケット対ガスケット・シール部２２６に接続する。前方シール部２２０には、この明細書において他のところでより完全に述べるように、左頂部・ガスケット・プラグ３００ａ、左底部プラグ３１０ａ、右頂部ガスケット・プラグ３００ｂ、右底部プラグ３１０ｂのタブを受け入れるように構成された前方タブ受取室２２４がある。前方シール部２２０から延びているのはシール・フランジ２２２であり、そのシール・フランジ２２２は、外周ガスケット・シール面１１８を部分的にカバーしており、左および右ドア・アセンブリ４０ａ、４０ｂが閉じられるとき、ガスケット・シール面１１８とキャビネット前面２４との間に配置される。シール・フランジ２２２は、外周ガスケット１００と磁気フレンチドア・ガスケット・アセンブリ２００との間に後部を曲げて突き刺すようなこともなく、外周ガスケット・シール面１１８を部分的にカバーするのに十分な幅がある。さらに、シール・フランジ２２２はガスケットの密封を邪魔をするほど広くはない。好ましくは、シール・フランジ２２２は、約３／８インチ幅であってもよいが、ある実施例においては、シール・フランジ２２２は、約１／４インチ幅から約５／８インチ幅であってもよい（例えば、約１／４インチ、約３／８インチ、約１／２インチ、約５／８インチ）。
【００１７】
左磁気フレンチドア・ガスケット・アセンブリ２００ａに関して、ベース部２０２に隣接し、ベース部２０２とガスケット対ガスケット・シール部２２６との間には、この明細書において他のところでより完全に述べるように、フレキシブル・マグネット４１０を収納するように構成された室２１０がある。ガスケット対ガスケット・シール部２２６は、室２１２、２１４およびガスケット対ガスケット・シール面２２７を含み、そこにおいて、この明細書において他のところでより完全に述べるように、室２１２は第１マグネット４００を収納するように構成され、室２１４は第２マグネット４００を収納するように構成されている。図９に示されるように、このある実施例において、しかしながら、第１および第２マグネット４００は同一であり、第１マグネット４００の向きは、左磁気フレンチドア・ガスケット・アセンブリ２００ａの第２マグネット４００の向きと異なる。ここで、右磁気フレンチドア・ガスケット・アセンブリ２００ｂに関して、ベース部２０２に隣接し、ベース部２０２とガスケット対ガスケット・シール部２２６との間には、この明細書において他のところでより完全に述べるように、フレキシブル・マグネット４１０を収納するように構成された室２１０がある。ガスケット対ガスケット・シール部２２６は、室２１２、２１４およびガスケット対ガスケット・シール面２２７を含み、そこにおいて、この明細書において他のところでより完全に述べるように、室２１２は第１マグネット４１２を収納するように構成され、室２１４は第２マグネット４１２を収納するように構成されている。図１０Ｂに示されるように、このある実施例において、しかしながら、第１および第２マグネット４１２は同一であり、第１マグネット４１２の向きは、右磁気フレンチドア・ガスケット・アセンブリ２００ｂの第２マグネット４１２の向きと異なる。他の実施例においては、第１および第２マグネットは、サイズ、形、極性、磁力の強さ、および材料組成物などにおいて異なってもよい。フレキシブル・マグネット４００、４１０、４１２としては、当分野において知られた任意の形式の市販の磁性材料である磁性材料を含んでもよい。
【００１８】
図９Ｂおよび１０Ｂにおいて示しているように、左および右磁気フレンチドア・ガスケット・アセンブリ２００ａ、２００ｂは、左および右ドア・アセンブリ４０ａ、４０ｂが閉じられるとき、マグネット４００および４１２は、互いに引きつけられるようにマグネット４００および４１２の磁気極性が逆となるように構成されて、配向されてもよい。したがって、図７に示しているように、第１マグネット４００の南極（Ｓ）は、第２マグネット４１２の北極（Ｎ）に引きつけられ、第１マグネット４００の北極（Ｎ）は、第２マグネット４１２の南極（Ｓ）に引きつけられる。これらのマグネット４００、４１２の引力は、左および右ガスケット対ガスケット・シール面２２７ａ、２２７ｂを接触させ、それにより冷蔵庫クーラー１０をシールする。左ドア・アセンブリ４０ａまたは右ドア・アセンブリ４０ｂのいずれかが開かれるとき、マグネット４００および４１２の同様の極性が近接し、そして互いに通り過ぎてマグネット４００および４１２を互いに反発させて、左および右ガスケット対ガスケット・シール面２２７ａ、２２７ｂが離される。それにより、左および右ガスケット対ガスケット・シール面２２７ａ、２２７ｂの間をぬぐうまたは擦る接触が低減される。例えば、図１２に示しているように、左ドア・アセンブリ４０ａが開かれるとき、第１マグネット４００の南極（Ｓ）は、第２マグネット４１２の南極（Ｓ）の近くとなり、そして通り過ぎ、同様の極性が第１マグネット４００および第２マグネット４１２を反発させる。第１マグネット４００および第２マグネット４１２の反発力は、マグネット４１０ａ、４１０ｂによって補助されている。左および右ドア・アセンブリ４０ａ、４０ｂが閉じられるとき、第１マグネット４００と第２マグネット４１２との間の磁性引力は、マグネット４１０ａと第１マグネット４００、およびマグネット４１０ｂと第２マグネット４１２の間の磁性引力を克服するのに十分である。しかしながら、左ドア・アセンブリ４０ａまたは右ドア・アセンブリ４０ｂのいずれかが開かれるとき、第１マグネット４００の北極（Ｎ）はマグネット４１０ａの南極（Ｓ）に引きつけられ、第２マグネット４１２の南極（Ｓ）はマグネット４１０ｂの北極（Ｎ）に引きつけられる。これらの引力は、左および右ガスケット対ガスケット・シール面２２７ａ、２２７ｂの間をぬぐうまたは擦る接触を低減することを補助する。例えば、左ドア・アセンブリ４０ａが開かれるとき、第１マグネット４００の北極（Ｎ）はマグネット４１０ａの南極（Ｓ）の近くにもたらされており、同様の極性は、第１マグネット４００と第２マグネット４１２の間の反発力を補助している。
【００１９】
図１３Ａ、１３Ｂおよび１３Ｃにおいて示しているように、マグネット４００、４１０および４１２の一実施例は、マグネットの極性が製造中および使用中の正確さを保証することを補助するための要素を含んでいる。図１３Ａおよび１３ＡＡに示されているように、マグネット４００の一実施例は、実質的に矩形断面を備える細長く薄いフレキシブル・マグネットである。マグネット４００の第１端部は、角度Θのマイター・カット４０２を有している。このある実施例において、マイター・カット４０２の角度Θは約４５度であるが、例えば他の実施例においては、マイター・カットの角度Θが約１０度と約８０度との間でもよい（例えば、約１０度、約２０度、約３０度、約４０度、約５０度、約６０度、約７０度、約８０度）。マグネット４００の第２端部は中央タブ４０４を有する。このある実施例において、中央タブ４０４は長さｘおよび幅ｙを有し、そこにおいて、ｘは、好ましくは約１／８インチであり、ｙは、好ましくは約１／８インチである。中央タブ４０４の両側は角度βである。そこにおいて、βは、好ましくは約９５度である。他の実施例において、例えば、ｘは、約１／１６インチと約１／２インチとの間でもよく、（例えば、約１／１６インチ、約３／１６インチ、約１／４インチ、約５／１６インチ、約３／８インチ、約７／１６インチ、約１／２インチ）、および／または、ｙは、約１／１６インチと約５／１６インチとの間でもよい（例えば、約１／１６インチ、約３／１６インチ、約１／４インチ、約５／１６インチ）。さらに、他の実施例において、例えば、βが約９０度と約１２０度との間でもよい（例えば、約９０度、約９５度、約１００度、約１０５度、約１１０度、約１１５度、約１２０度）。切り込み４０６は、マグネット４００の全長を走る。
【００２０】
図１３Ｂおよび１３ＢＢに示されているように、マグネット４１０の一実施例は、実質的に矩形断面を備える細長く薄いフレキシブル・マグネットである。マグネット４１０の第１端部は中央タブ４０４を有する。このある実施例において、中央タブ４０４は長さｘおよび幅ｙを有し、そこにおいて、ｘは、好ましくは約１／８インチであり、ｙは、好ましくは約３／３２インチである。中央タブ４０４の両側は角度βである。そこにおいて、βは、好ましくは約９６度である。他の実施例において、例えば、ｘは、約１／１６インチと約１／２インチとの間でもよく、（例えば、約１／１６インチ、約３／１６インチ、約１／４インチ、約５／１６インチ、約３／８インチ、約７／１６インチ、約１／２インチ）、および／または、ｙは、約１／１６インチと約５／１６インチとの間でもよい、（例えば、約１／１６インチ、約３／１６インチ、約１／４インチ、約５／１６インチ）。さらに、他の実施例において、例えば、βが約９０と約１２０度との間でもよい（例えば、約９０度、約９５度、約１００度、約１０５度、約１１０度、約１１５度、約１２０度）。マグネット４１０の第２端部は、角度Θのマイター・カット４０２を有している。このある実施例において、マイター・カット４０２の角度Θは約４５度であるが、例えば他の実施例においては、マイター・カットの角度Θが約１０度と約８０度との間でもよい（例えば、約１０度、約２０度、約３０度、約４０度、約５０度、約６０度、約７０度、約８０度９。切り込み４０６は、マグネット４００の全長を走る。
【００２１】
図１３Ｃおよび１３ＣＣに示されているように、マグネット４１２の一実施例は、実質的に矩形断面を備える細長く薄いフレキシブル・マグネットである。マグネット４１０の第１端部は、角度Θのマイター・カット４０２を有している。このある実施例において、マイター・カット４０２の角度Θは約４５度であるが、例えば他の実施例においては、マイター・カットの角度Θが約１０度と約８０度との間でもよい（例えば、約１０度、約２０度、約３０度、約４０度、約５０度、約６０度、約７０度、約８０度）。マグネット４１２の第２端部は、オフセット・タブ４０８を有し、そこにおいて、オフセット・タブ４０８の一方の側がマグネット４１２の長辺と一致する。このある実施例において、オフセット・タブ４０８は長さｘおよび幅ｙを有し、そこにおいて、ｘは、好ましくは約１／８インチであり、そして、ｙは、好ましくは約５／３２インチである。オフセット・タブ４０８の一方の側が角βであり、そこにおいて、βは、好ましくは約９５度である。他の実施例において、例えば、ｘは、約１／１６インチと約１／２インチとの間でもよく（例えば、約１／１６インチ、約３／１６インチ、約１／４インチ、約５／１６インチ、約３／８インチ、約７／１６インチ、約１／２インチ）、および／または、ｙは、約１／１６インチと約５／１６インチとの間でもよい（例えば、約１／１６インチ、約３／１６インチ、約１／４インチ、約５／１６インチ）。さらに、他の実施例において、例えば、βが９０度と１２０度との間でもよい（例えば、約９０度、約９５度、約１００度、約１０５度、約１１０度、約１１５度、約１２０度）。切り込み４０６は、マグネット４１２の全長を走る。
【００２２】
マイター・カット４０２、中央タブ４０４、オフセット・タブ４０８は、マグネットの極性が製造中および使用中に正確であることを保証するのを補助するために、頂部および底部ガスケット・プラグのタブと対応し、調和している。ここで、図１４Ａ−１４Ｄ、１５Ａ−１５Ｄ、１６Ａ−１６Ｄ、また１７Ａ−１７Ｅを参照すると、左頂部ガスケット・プラグ３００ａ、左底部ガスケット・プラグ３１０ａ、右頂部ガスケット・プラグ３００ｂおよび右底部ガスケット・プラグ３１０ｂのある実施例が示されている。ガスケット・プラグ３００ａ、３１０ａ、３００ｂおよび３１０ｂは、好ましくは、黒色である実質的に硬質塩ビ樹脂（ＰＶＣ）で構成されているが、しかしながら、他の実施例において、限定されるものではないが、金属、プラスチック、木材、ファイバーグラス、炭素繊維あるいは他の合成物を含む様々な他の材料が使用されてもよい。黒以外の色は本開示の範囲から外れることなく使用されてもよいことが理解されるであろう。他の実施例において、ガスケット・プラグ３００ａ、３１０ａ、３００ｂおよび３１０ｂは、限定されるものではないが、ポリ塩化ビニル（ＰＶＣ）、天然若しくは合成ゴム、または当分野において知られた他の適切なエラストマーを含む柔軟な材料で構成されてもよい。さらに、このある実施例において、ガスケット・プラグ３００ａ、３１０ａ、３００ｂおよび３１０ｂは、各々が単一の部品である。他の実施例においては、例えば、ガスケット・プラグ３００ａ、３１０ａ、３００ｂおよび３１０ｂは、各々が１つ以上の部分で構成されてもよい。そのような実施例においては、ガスケットは３００ａ、３１０ａ、３００ｂおよび３１０ｂは、実質的に硬い左または右ドア４１ａ、４１ｂの内側面４５ａ、４５ｂに近接した第１部分と、この第１部分の反対側に張り付けられた第２部分とを有しており、第２の部分は硬質部分よりソフトで柔軟でもあってもよい。従って、左および右ドア・アセンブリ４０ａ、４０ｂが互い閉じられるとき、ガスケット・プラグ３００ａ、３００ｂ、３１０ａ、３１０ｂの第２部分は、それぞれが互いに近接し、そしてそれぞれが左および右ガスケット対ガスケット・シール面２２７ａ、２２７ｂの擦ることを低減して、わずかに変形することが可能となる。
【００２３】
特に、図１４Ａ−１４Ｄは、一実施例において、左頂部ガスケット・プラグ３００ａは、第１および第２サイドを備える実質的に平坦なプラグ本体３０１ａにより形成されている。プラグ本体３０１ａの第１サイドには、左ドア４１ａ上の左磁気フレンチドア・ガスケット・アセンブリ２００ａを正確に方向付けることを補助するマーク３０２ａがある。このある実施例において、マーク３０２ａは「Ｌ２」として示されるが、他の実施例においては、限定されるものではないが、チェックマーク、ノッチ、文字、数、形などを含む様々なマークが使用されてもよい。プラグ本体３０１ａの第２サイドから延びているのは、左押し出しフレキシブル・ガスケット２０１ａの前方タブ受取室２２４ａに差し込まれるように構成された前方タブ３０３ａである。また、プラグ本体３０１ａの第２サイドから延びているのは、左押し出しフレキシブル・ガスケット２０１ａの後方タブ受取室２３０ａに差し込まれるように構成された後方タブ３０４ａである。前方タブ３０３ａおよび後方タブ３０４ａは、ガスケットの膨らみを低減、または無くして、左押し出しフレキシブル・ガスケット２０１ａの形状の維持を助けており、そこにおいて、膨らみとはガスケット材料の過度の移動または歪みである。膨らみの低減または無くすことによって、また、前方タブ３０３ａおよび後方タブ３０４ａは、左および右ガスケット対ガスケット・シール面２２７ａ、２２７ｂの擦りを低減する。更に、プラグ本体３０１ａの第２サイドから延びているのは、３つの中央刻目タブ３０６ａであり、そこにおいて、それぞれのタブ３０６ａの中央刻目は、マグネット４００、４１０の中央タブ４０４を受け取るように構成されている。中央刻目タブ３０６ａは、マグネット４００、４１０の配向のための確認または基準として機能することにより、左磁気フレンチドア・ガスケット・アセンブリ２００ａの製造での補助となる。マグネット４００、４１０が左押し出しフレキシブル・ガスケット２０１ａに間違って配置された場合、左頂部ガスケット・プラグ３００ａは、左押し出しフレキシブル・ガスケット２０１ａに適切に入らないであろう。
【００２４】
ここで、図１５Ａ−１５Ｄを参照して、左底部ガスケット・プラグ３１０ａは、第１および第２サイドを備えた実質的に平坦なプラグ本体３１１ａにより形成されている、１つのある実施例を説明している。プラグ本体３０１ａの第１サイドには、左ドア４１ａ上の左磁気フレンチドア・ガスケット・アセンブリ２００ａを正確に方向付けることを補助するマーク３１２ａがある。このある実施例において、マーク３１２ａは「Ｌ１」として示されるが、他の実施例においては、限定されるものではないが、チェックマーク、ノッチ、文字、数、形などを含む様々なマークが使用されてもよい。プラグ本体３１１ａの第２サイドから延びているのは、左押し出しフレキシブル・ガスケット２０１ａの前方タブ受取室２２４ａに差し込まれるように構成された前方タブ３０３ａである。また、プラグ本体３１１ａの第２サイドから延びているのは、左押し出しフレキシブル・ガスケット２０１ａの後方タブ受取室２３０ａに差し込まれるように構成された後方タブ３０４ａである。前方タブ３０３ａおよび後方タブ３０４ａは、ガスケットの膨らみを低減、または無くして左押し出しフレキシブル・ガスケット２０１ａの形状の維持を補助しており、そこにおいて、膨らみとはガスケット材料の過度の移動または歪みである。膨らみの低減または無くすことによって、また、前方タブ３０３ａおよび後方タブ３０４ａは、左および右ガスケット対ガスケット・シール面２２７ａ、２２７ｂの擦りを低減する。更に、プラグ本体３１１ａの第２サイドから延びているのは、３つの面取タブ３０９ａであり、そこにおいて、それぞれのタブ３０９ａの面取りは、マグネット４００、４１０のマイター・カット４０２を受け取るように構成されている。面取タブ３０９ａは、マグネット４００、４１０の配向のための確認または基準として機能することにより、左磁気フレンチドア・ガスケット・アセンブリ２００ａの製造での補助となる。マグネット４００、４１０が左押し出しフレキシブル・ガスケット２０１ａに間違って配置された場合、左底部ガスケット・プラグ３１０ａは、左押し出しフレキシブル・ガスケット２０１ａに適切に入らないであろう。
【００２５】
ここで、図１６Ａ−１６Ｄを参照して、右頂部ガスケット・プラグ３００ｂは、第１および第２サイドを備えた実質的に平坦なプラグ本体３０１ｂにより形成されている、１つのある実施例を説明している。プラグ本体３０１ｂの第１サイドには、右ドア４１ｂ上の右磁気フレンチドア・ガスケット・アセンブリ２００ｂを正確に方向付けることを補助するマーク３０２ｂがある。このある実施例において、マーク３０２ｂは「Ｒ２」として示されるが、他の実施例においては、限定されるものではないが、チェックマーク、ノッチ、文字、数、形などを含む様々なマークが使用されてもよい。プラグ本体３０１ｂの第２サイドから延びているのは、右押し出しフレキシブル・ガスケット２０１ｂの前方タブ受取室２２４ｂに差し込まれるように構成された前方タブ３０３ｂである。また、プラグ本体３０１ｂの第２サイドから延びているのは、右押し出しフレキシブル・ガスケット２０１ｂの後方タブ受取室２３０ｂに差し込まれるように構成された後方タブ３０４ｂである。前方タブ３０３ｂおよび後方タブ３０４ｂは、ガスケットの膨らみを低減、または無くして右押し出しフレキシブル・ガスケット２０１ｂの形状の維持を補助しており、そこにおいて、膨らみとはガスケット材料の過度の移動または歪みである。膨らみの低減または無くすことによって、また、前方タブ３０３ｂおよび後方タブ３０４ｂは、左および右ガスケット対ガスケット・シール面２２７ａ、２２７ｂの擦りを低減する。更に、プラグ本体３０１ｂの第２サイドから延びているのは、３つの面取タブ３０９ｂであり、そこにおいて、それぞれのタブ３０９ｂの面取りは、マグネット４１０、４１２のマイター・カット４０２を受け取るように構成されている。面取タブ３０９ｂは、マグネット４１０、４１２の配向のための確認または基準として機能することにより、右磁気フレンチドア・ガスケット・アセンブリ２００ｂの製造での補助となる。マグネット４１０、４１２が右押し出しフレキシブル・ガスケット２０１ａに間違って配置された場合、右頂部ガスケット・プラグ３００ｂは、右押し出しフレキシブル・ガスケット２０１ｂに適切に入らないであろう。
【００２６】
ここで、図１７Ａ−１７Ｄを参照して、右底部ガスケット・プラグ３１０ｂは、第１および第２サイドを備えた実質的に平坦なプラグ本体３１１ｂにより形成されている、１つのある実施例を説明している。プラグ本体３１１ｂの第１サイドには、右ドア４１ｂ上の右磁気フレンチドア・ガスケット・アセンブリ２００ｂを正確に方向付けることを補助するマーク３１２ｂがある。このある実施例において、マーク３１２ｂは「Ｒ１」として示されるが、他の実施例においては、限定されるものではないが、チェックマーク、ノッチ、文字、数、形などを含む様々なマークが使用されてもよい。プラグ本体３１１ｂの第２サイドから延びているのは、右押し出しフレキシブル・ガスケット２０１ｂの前方タブ受取室２２４ｂに差し込まれるように構成された前方タブ３０３ｂである。また、プラグ本体３１１ｂの第２サイドから延びているのは、右押し出しフレキシブル・ガスケット２０１ｂの後方タブ受取室２３０ｂに差し込まれるように構成された後方タブ３０４ｂである。前方タブ３０３ｂおよび後方タブ３０４ｂは、ガスケットの膨らみを低減、または無くして右押し出しフレキシブル・ガスケット２０１ｂの形状の維持を補助しており、そこにおいて、膨らみとはガスケット材料の過度の移動または歪みである。膨らみの低減または無くすことによって、また、前方タブ３０３ｂおよび後方タブ３０４ｂは、左および右ガスケット対ガスケットシール面２２７ａ、２２７ｂの擦りを低減する。更に、プラグ本体３１１ｂの第２サイドから延びているのは、１つの中央刻目タブ３０６ｂおよび２つのサイド刻目タブ３０７ｂであり、そこにおいて、それぞれのタブ３０９ａの中央およびサイドの刻目は、マグネット４１０、４１２の中央およびオフセット・タブ４０４、４０８を受け取るようにそれぞれ構成されている。中央およびサイドの刻目タブ３０６ｂ、３０７ｂは、マグネット４１０、４１１の配向のための確認または基準として機能することにより、右磁気フレンチドア・ガスケット・アセンブリ２００ｂの製造での補助となる。マグネット４１０、４１２が右押し出しフレキシブル・ガスケット２０１ｂに間違って配置された場合、右底部ガスケット・プラグ３１０ｂは、右押し出しフレキシブル・ガスケット２０１ｂに適切に入らないであろう。
【００２７】
左および右フレンチドア磁気ガスケット・アセンブリ２００ａ、２００ｂの構成について記述したが、左および右フレンチドア磁気ガスケット・アセンブリ２００ａ、２００ｂのそれぞれは、マグネット４００、４１０および／または４１２をそれらのそれぞれの室２１０、２１２および２１４に差し込んで構成されてもよい。頂部および底部の左および右ガスケット・プラグ３００ａ、３００ｂ、３１０ａ、３１０ｂは、そこで、左および右フレンチドア・ガスケット２０１ａ、２０１ｂに、それぞれ差し込まれ、そして固定される。好ましくは、ある実施例においては、頂部および底部ガスケット３００ａ、３００ｂ、３１０ａ、３１０ｂは、左および右フレンチドア・ガスケット２０１ａ、２０１ｂに対してシリコーン接着剤を使用して固定されるが、しかしながら、他の実施例においては、限定されるものではないが、ＰＶＣセメント、エポキシ、ゴムのり、シアノアクリレート、熱接着剤、または当分野において知られた他の接着剤を含む別の接着材料が使用されてもよい。その上、他の実施例においては、例えば、頂部および底部ガスケット３００ａ、３００ｂ、３１０ａ、３１０ｂは、限定されるものではないが、ホットガス溶接、熱シール、押し出し溶接、熱板溶接、超音波溶接、溶剤結合、レーザー溶接などを含む当分野において知られたプラスチック溶接技術の使用により左および右フレンチドア・ガスケット２０１ａ、２０１ｂに溶接されてもよい。
【００２８】
ここでは、マグネットおよびマイター・カット、ノッチおよびタブの各種を含むガスケット・プラグの様々な実施例を述べたが、他の実施例においては、マグネット４００、４１０、４１２はマイター・カットまたはタブを含んでいないかもしれないし、そしてガスケット・プラグ３００ａ、３００ｂ、３１０ａ、３１０ｂは同一であるかもしれない。これらのある実施例においては、例えば、マグネット４００、４１０、４１２の第１および第２端部は、マグネット４００、４１０、４１２の長さ方向に直角に切断されてもよい。さらに、ガスケット・プラグ３００ａ、３００ｂ、３１０ａ、３１０ｂには如何なるマイター・カットまたは刻目がないかもしれないが、その代わりに、タブの端部はマグネット４００、４１０、４１２の直線の端部と適合した直線であってもよい。従って、ある実施例においては、ガスケット・プラグの単一の形式は、頂部および底部、および左および右磁気フレンチドア・ガスケット・アセンブリ２００ａ、２００ｂのために使用されてもよい（即ち、単一形式のガスケット・プラグは、頂部および底部、および左および右磁気フレンチドア・ガスケット・アセンブリ２００ａ、２００ｂの各々に特有なものではない）。左および右フレンチドア・ガスケット２０１ａ、２０１ｂに挿入されるマグネット４００、４１０、４１２の極性を確認する方法または装置は、マグネット４００、４１０、４１２が左および右磁気フレンチドア・ガスケット・アセンブリ２００ａ、２００ｂの製造中に正確に配向されることを保証するように使用されてもよい。従って、この実施例では、マグネット４００、４１０、４１２の正確な配向のために、マグネット４００、４１０、４１２におけるマイター・カット、タブまたは刻目、およびガスケット・プラグ３００ａ、３００ｂ、３１０ａに依存していない。
【００２９】
再び、図３を参照すると、左および右フレンチドア・アセンブリ４０ａ、４０ｂは、調整可能な左頂部ヒンジ・アセンブリ５００ａ、右頂部ヒンジ・アセンブリ５００ｂおよび右底部ヒンジ・ブラケット５５０によって回転自在にキャビネット１２に取り付けられている。図１８においてより詳細に示されているのは、調整可能な左頂部ヒンジ・アセンブリ５００ａの１つの実施例であり、その左頂部ヒンジ・アセンブリ５００ａは調整可能な左頂部ヒンジ・ブラケット５０１、スプリング・カートリッジ・アセンブリ５１５ａおよび頂部ヒンジ・ドア・ブラケット５２４を含む。更に、図１９Ａおよび１９Ｂにおいて示しているように、このある実施例において、調整可能な左頂部ヒンジ・ブラケット５０１は、２つの長孔５０２および５０３、および孔５０４を有する実質的に平坦な板により形成されており、その孔５０４を通して、ネジがキャビネット１２を通して中に挿入されて、調整可能な左頂部ヒンジ・アセンブリ５００ａをキャビネット１２に固定する。長孔５０２および５０３は、左および右フレンチドア・アセンブリ４０ａおよび４０ｂが正確に閉じることを保証するように、調整可能な左頂部ヒンジ・アセンブリ５００ａの位置調節を可能にする。この明細書において他のところでより詳細に述べるように、ネジは孔５０４および長孔５０２、５０３を通して差し込まれるが、ネジはきつく締め付けられず、調整可能な左頂部ヒンジ・ブラケット５０１が孔５０４の中心軸５１０の周りに僅かに回転することができる。図１８および１９Ａにおいて見られるように、長孔５０２が長孔５０３より孔５０４からより離れているために、長孔５０２は長孔５０３より僅かに広く、長孔５０２の余分な幅は、長孔５０２および５０３が同じ幅を有している場合より、孔５０４の中心軸５１０の周りのさらなる回転を可能とする。調整可能な左頂部ヒンジ・ブラケット５０１は、スプリング・カートリッジ係合ピン５０５およびヒンジ・ピン５０６をさらに含む。
【００３０】
ここに、図２０を参照して、スプリング・カートリッジ・アセンブリ５１５の一実施例を説明しており、そこではスプリング・カートリッジ・アセンブリ５１５が、スプリング（図示せず）を収容する実質的に円筒状のスプリング・カートリッジ本体５１６と、および回転可能な頂部５１７とを含んでいる。そこにおいて、スプリングは、反時計方向に（冷蔵庫クーラー１０の頂部から見て）左フレンチドア・アセンブリ４０ａを閉じるようにスプリング力を提供する。回転可能な頂部５１７の頂端には、調整可能な左頂部ヒンジ・ブラケット５０１のヒンジ・ピン５０６を受け入れるよう構成されたヒンジ・ピン受取孔５１８がある。回転可能な頂部５１７の近くから放射状に延びているのは、スプリング・カートリッジ係合ピン５０５を受け入れるように構成されたピン係合長孔５２０を含むピン係合アーム５１９である。ピン係合アーム５１９は、ドアを閉じるように、スプリング・カートリッジ係合ピン５０５を介して調整可能な左頂部ヒンジ・ブラケットにスプリング（図示せず）のスプリング力を送る。さらに、図２０において示されたものは、頂部ヒンジ・ドア・ブラケット５２４の一実施例である。頂部ヒンジ・ドア・ブラケット５２４は、２つの孔５２６およびスプリング・カートリッジ受取孔５２８を有する実質的に平坦な板により形成されている。このある実施例においては、スプリング・カートリッジ本体５１６が所定の位置に固定される間、回転可能な頂部５１７が回転できるように、スプリング・カートリッジ・アセンブリ５１５ａは、スプリング・カートリッジ受取孔５２８の中で頂部ヒンジ・ドア・ブラケット５２４に固定される。ある実施例においては、スプリング・カートリッジ・アセンブリ５１５ａがスプリング・カートリッジ受取孔５２８に圧入されるかもしれないが、他の実施例において、スプリング・カートリッジ・アセンブリ５１５ａは、限定されるものではないが、ネジ、リベット、接着剤、溶接、ろう付けなどを含む各種の方法において、頂部ヒンジ・ドア・ブラケット５２４に固定してもよい。調整可能な左頂部ヒンジ・アセンブリ５００ａは、ユーザーにより開かれている間、左フレンチドア・アセンブリ４０ａを時計方向に回転可能として、スプリング・カートリッジ・アセンブリ５１５ａは、一旦ユーザーがドアを放すと、ドアを閉じるために作用する。
【００３１】
図２１は、右頂部ヒンジ・ブラケット５１１、スプリング・カートリッジ・アセンブリ５１５ｂおよび頂部ヒンジ・ドア・ブラケット５２４を含む右頂部ヒンジ・アセンブリ５００ｂの一実施例を示す。更に、このある実施例においては、右頂部ヒンジ・ブラケット５１１は、３つの孔５１４、スプリング・カートリッジ係合ピン５０５およびヒンジ・ピン５０６を有する実質的に平坦な板により形成されている（図２２Ａ、２２Ｂおよび２２Ｃ）。ネジ（図示せず）は、孔５１４を通し、キャビネット１２の中に挿入されて、右頂部ヒンジ・アセンブリ５００ｂをキャビネット１２に固定することができる。頂部ヒンジ・ドア・ブラケット５２４は、調整可能な左頂部ヒンジ・アセンブリ５００ａの頂部ヒンジ・ドア・ブラケットと同じである。更に、スプリング・カートリッジ５１５ｂは、時計回りの方向に（冷蔵庫クーラー１０の頂部から見て）右フレンチドア・アセンブリ４０ｂを閉じるように、スプリング（図示せず）がスプリング力を提供する以外は、実質的にスプリング・カートリッジ５１５ａと同じである。従って、右頂部ヒンジ・アセンブリ５００ｂは、ユーザーにより開かれている間、右フレンチドア・アセンブリ４０ｂを反時計回りに回転可能として、スプリング・カートリッジ・アセンブリ５１５ｂは、一旦ユーザーがドアを放すと、ドアを閉じるために作用する。
【００３２】
底部ヒンジ・ブラケット５５０の一実施例は、図２３に示されている。底部ヒンジ・ブラケット５５０は、実質的に水平なブラケット部５５４に対して実質的に９０度の角度で接続された実質的な垂直なブラケット部５５２を含む。底部ヒンジ・ブラケット５５０の実質的に垂直なブラケット部５５２は、実質的に水平な長孔５５６を含んでおり、その長孔５５６を通して、ネジ（図示せず）がキャビネット１２に差し込まれて、底部ヒンジ・ブラケット５５０をキャビネット１２に固定する。長孔５５６は、左および右フレンチドア・アセンブリ４０ａ、４０ｂを適切に閉じることを保証するために底部ヒンジ・ブラケット５５０の位置の調節を可能とするものである。底部ヒンジ・ブラケット５５０の実質的に水平なブラケット部５５４は、底部ヒンジ・ピン（図示せず）を受け入れるように構成された孔５５８を含んでおり、その底部ヒンジ・ピンは左および右ドア４１ａ、４１ｂの底面４７ａ、４７ｂのブッシング（図示せず）に差し込まれる。底部ヒンジ・ピンは、１つ以上のワイヤーが底部ヒンジ・ピンの中に差し込まれる、または底部ヒンジ・ピンに突き通される溝を形成してもよいし、貫通孔を形成してもよい。組立中において、スラスト座金は、左および右ドア・アセンブリ４０ａ、４０ｂの回転を補助するキャビネット１２に底部ヒンジ・ブラケット５５０を固定する前にそれぞれの底部ヒンジ・ピンに配置してもよい。一実施例における左および右ドア４１ａ、４１ｂの底面４７ａ、４７ｂのブッシング（図示せず）は、ブロンズで構成されているが、他の実施例においては、限定されるものではないが、ブッシングが、黄銅、銅、鋼、ステンレススチール、アルミニウム、チタンおよび／または他の純金属あるいは金属合金を含む様々な金属で構成されてもよい。その上、他の実施例においては、例えば、ブッシングが、限定されるものではないが、プラスチックあるいは他のポリマーあるいは複合材料を有する様々な他の材料で構成されてもよい。図３は、キャビネット１２に取り付けられる底部ヒンジ・ブラケット５５０を示す。
【００３３】
調整可能な左頂部ヒンジ・アセンブリ５００ａ、右頂部ヒンジ・アセンブリ５００ｂおよび右底部ヒンジ・ブラケット５５０は、ここに詳細に述べたが、如何なる市販のヒンジアセンブリ、または当分野において知られたヒンジ形式を使用してもよい。したがって、異なるヒンジ構成は、本開示の範囲から外れない範囲で使用されることは理解されるであろう。
【００３４】
冷蔵庫クーラーから中央垂直縦仕切りを販売のために追加の商品の保管および陳列表示のために外すことが可能であるが、取り除かれた中央垂直縦仕切りの支持で左および右フレンチドアは、適切に閉じないであろうことが分かった。左頂部および右頂部ヒンジ・アセンブリ５００ａ、５００ｂのスプリングは、左および右フレンチドア・アセンブリ４０ａ、４０ｂの左および右ドアの後面４３ａ、４３ｂをキャビネット前面２４に対して平行に閉じないようにした。キャビネット前面２４に対してある角度をなして左および右フレンチドア・アセンブリ４０ａ、４０ｂの繰り返し閉じることは、左および右磁気フレンチドア・アセンブリ２００ａ、２００ｂの膨らみまたは変形を引き起こすであろう。膨らみまたは変形は、左および右フレンチドア・アセンブリ４０ａ、４０ｂを閉じることを邪魔し、また左および右磁気フレンチドア・アセンブリ２００ａ、２００ｂを密閉させないため、冷蔵庫クーラーの中を低温に維持する能力を低減し、または無くすであろう。従って、図１、２、４Ａ、４Ｂ、５Ａ、５Ｂおよび６において示されている一実施例において、左および右フレンチドア・アセンブリ４０ａ、４０ｂの左および右ドアの後面４３ａ、４３ｂがキャビネット前面２４と平行に閉じることを保証するために、ドアストップ・アセンブリ６００は、左および右ドア内側面４５ａ、４５ｂの近くの左および右ドア４１ａ、４１ｂの頂部および底部に取り付けられる。図６により詳細に示されているように、このある実施例において、ドアストップ・アセンブリ６００は、ドアストップ・ブラケット６０２およびドアストップ・バンパー６０４を含んでおり、そこにおいて、１つのドアストップ・ブラケット６０２は、左ドア４１ａの頂部に取り付けられ、そして１つのドアストップ・ブラケット６０２は、右ドア４１ｂの頂部に取り付けられる。ある実施例においては、ドアストップ・ブラケットが左ドアの頂部および底部フレーム部材４９ａ、５１ａおよび右ドアの頂部および底部フレーム部材４９ｂ、５１ｂに取り付けられてもよいが、他の実施例においては、ドアストップ・ブラケットが左ドアの頂部および底部ガスケット・リテーナ６０ａ、６４ａおよび右ドアの頂部および底部ガスケット・リテーナ６０ｂ、６４ｂに取り付けられてもよい。ドアストップ・ブラケット６０２は、限定されるものではないが、ネジ、リベット、接着剤、溶接、ろう付けなどを含む様々な手段によりこれらの要素のうちのどれにも取り付けられてもよい。ドアストップ・バンパー６０４は、好ましくは、黒色のシリコーンで構成されているが、他の実施例においては、限定されるものではないが、天然若しくは合成ゴム、フェルト、コルク、または当分野において知られた他の適切な衝撃吸収材料を含む様々な他の材料が使用されてもよい。黒以外の色は本開示の範囲から逸脱しない範囲で使用され得ることは理解されるであろう。ドアストップ・バンパー６０４は、限定されるものではないが、圧入、ネジ、リベット、接着剤などを含む各種手段によりドアストップ・ブラケット６０２に取り付けられてもよい。
【００３５】
ここに述べたように、冷蔵庫クーラー１０を製造する一実施例において、様々な取付具は、冷蔵庫クーラー１０を形成する様々なアセンブリの正確な配置を補助するために使用される。図２４Ａおよび２４Ｂに示されているように、Ｔドア取付具７００の一実施例が示される。Ｔドア取付具７００は、第１および第２サイド、頂部および底部エッジを有する実質的に長方形の取付板７０２により形成されている。取付板７０２の第１サイドに取り付けられているのは、ハンドル７０４であり、ハンドル７０４はＴドア取付具７００を配置し、外すために使用され得るものであり、取付板７０２の頂部エッジに沿った取付板７０２の第２サイドに取り付けられているのは、頂部バー７０６である。また、取付板７０２の第２サイドに取り付けられ、頂部バー７０６に直角であるのは、ドア・ギャップ取付バー７０８である。左および右ドア・アセンブリ４０ａおよび４０ｂの取り付け中において、この明細書において他のところでより完全に述べるように、２つのＴドア取付具は、左および右ドア・アセンブリ４０ａおよび４０ｂの間の正確なギャップ、およびキャビネット１２上の正確な配置を保証するように、左および右ドア・アセンブリ４０ａおよび４０ｂの頂部および底部に配置されてもよい。一実施例においては、ドア・ギャップ取付バー７０８は、左および右ドア４１ａ、４１ｂの内側面４５ａ、４５ｂの間のギャップが約１５／１６インチであることを保証する。他の実施例においては、ドア・ギャップ取付バー７０８が、左および右ドア４１ａ、４１ｂの内側面４５ａ、４５ｂの間のギャップを約１／２インチと約１インチとの間であることを保証するかもしれない（例えば、約１／２インチ、約５／８インチ、約３／４インチ、約７／８インチ、約１５／１６インチ、約１インチ）。
【００３６】
ここで、図２５Ａ、２５Ｂおよび２５Ｃを参照して、左頂部ヒンジ取付具アセンブリ７２０の一実施例を説明している。このある実施例において、左頂部ヒンジ取付具アセンブリ７２０は、左頂部ヒンジ取付板７２２の頂部エッジの近くで同一直線上にある３つの孔７２６を有する実質的に矩形状の左頂部ヒンジ取付板７２２を含む。そこにおいて、３つの孔７２６の各々は、ドリル・ブッシング７３０を受け入れるように構成されてもよい。左頂部ヒンジ取付板７２２は、左頂部ヒンジ取付板７２２の底部エッジの近くの３つの孔７２６と同一直線上に配置された孔７２８をさらに含む。ここにおいて、孔７２８は、左頂部ヒンジ取付板７２２の底面から直角に延びる位置決めピン７３２を受け入れるように構成されている。左頂部ヒンジ取付板７２２の底面から直角に延びるものとしては、位置決めリブ７２４がある。位置決めリブ７２４は、キャビネット１２上に位置決め孔７２６を正確に補助する左ドア・アセンブリ４０ａの取り付け中における左ドア・アセンブリ４０ａとキャビネット前面２４との間のスペーサーとしてさらに機能する（図３０Ｂ参照）。従って、調整可能な左頂部ヒンジ・ブラケット５０１がキャビネット１２に固定される場合、左ドア・アセンブリ４０ａが閉じられるとき、外周ガスケット１００ａがキャビネット前面２４の一部に対して適切にシールするように、キャビネット前面２４に対する左ドア・アセンブリ４０ａの位置が正確であるということを、位置決めリブ７２４は保証する。左ドア・アセンブリ４０ａとキャビネット前面２４との間の距離が正確でなかった場合、外周ガスケット１００ａは適切にまたは完全にシールしないかもしれない。左頂部ヒンジ取付具アセンブリ７２０のこのある実施例は、孔７２６の中にドリル・ブッシング７３０を含んでいるが、他の実施例において、左頂部ヒンジ取付具アセンブリ７２０は孔７２６の中にドリル・ブッシング７３０を含まなくてもよい。さらに、ある実施例において、左頂部ヒンジ取付具プレート７２２、位置決めピン７３２および位置決めリブ７２４は、互いに取り付けられた個々の部分を備えてもよいが、他の実施例においては、左頂部ヒンジ取付板７２２、位置決めピン７３２および位置決めリブ７２４のうちのいくつかまたは全てが、単一の部分を備えてもよい（例えば、１つの部分から機械加工されるか、または一つの部分に鋳造される）。左ドア・アセンブリ４０ａの取り付け中において、この明細書において他のところでより完全に述べるように、キャビネット１２上の調整可能な左頂部ヒンジ・アセンブリ５００ａのためのネジ位置を正確に配置するように、左頂部ヒンジ取付具アセンブリ７２０は、左ドア・アセンブリ４０ａの頂部に配置されてもよい。
【００３７】
ここで、図２６Ａ、２６Ｂおよび２６Ｃを参照して、右頂部ヒンジ取付具アセンブリ７４０の一実施例を説明する。このある実施例において、右頂部ヒンジ取付具アセンブリ７４０は、右頂部ヒンジ取付板７４２の頂部エッジの近くの三角配列で配置された３つの孔７４６を有する実質的に矩形状の右頂部ヒンジ取付板７４２で形成されている。ここにおいて、３つの孔７４６の各々は、ドリル・ブッシング７３０を受け入れるように構成されてもよい。他の実施例において、孔７４６は、本開示の範囲から逸脱しない範囲で、同一直線上、Ｌ字形状などを含む任意のあるパターンに配置されてもよいことが理解される。右頂部ヒンジ取付板７４２は、右頂部ヒンジ取付板７４２の底部エッジの近くに配置された孔７４８をさらに含む。ここにおいて、孔７４８は、右頂部ヒンジ取付板７４２の底面から直角に延びる位置決めピン７３２を受け入れるように構成されている。また、右頂部ヒンジ取付板７４２の底面から直角に延びるものとしては、位置決めリブ７４４がある。位置決めリブ７４４は、キャビネット１２上に位置決め孔７２６を正確に補助する右ドア・アセンブリ４０ｂの取り付け中における右ドア・アセンブリ４０ｂとキャビネット前面２４との間のスペーサーとしてさらに機能する（図３０Ａ参照）。従って、右頂部ヒンジ・ブラケット５１１がキャビネット１２に固定される場合、右ドア・アセンブリ４０ｂが閉じられるとき、外周ガスケット１００ｂがキャビネット前面２４の一部に対して適切にシールするように、キャビネット前面２４に対する右ドア・アセンブリ４０ｂの位置が正確であるということを、位置決めリブ７４４は保証する。右ドア・アセンブリ４０ｂとキャビネット前面２４との間の距離が正確でなかった場合、外周ガスケット１００ｂは適切にまたは完全にシールしないかもしれない。右頂部ヒンジ取付具アセンブリ７４０のこのある実施例は、孔７４６の中にドリル・ブッシング７３０を含んでいるが、他の実施例において、右頂部ヒンジ取付具アセンブリ７４０は孔７４６の中にドリル・ブッシング７３０を含まなくてもよい。さらに、ある実施例において、右頂部ヒンジ取付板７４２、位置決めピン７３２および位置決めリブ７４４は、互いに取り付けられた個々の部分を備えてもよいが、他の実施例においては、右頂部ヒンジ取付板７４２、位置決めピン７３２および位置決めリブ７４４のうちのいくらかあるいは全てが、単一の部分を備えてもよい（例えば、１つの部分から機械加工されるか、または一つの部分に鋳造される）。右ドア・アセンブリ４０ｂの取り付け中において、この明細書において他のところでより完全に述べるように、キャビネット１２上の右頂部ヒンジ・アセンブリ５００ｂのためのネジ位置を正確に配置するように、右頂部ヒンジ取付具アセンブリ７４０は、右ドア・アセンブリ４０ｂの頂部に配置されてもよい。
【００３８】
図２７Ａ、２７Ｂおよび２７Ｃにおいて、底部ヒンジ取付具アセンブリ７５０の一実施例が示されている。底部ヒンジ取付具アセンブリ７５０は、Ｕ字型の底部ヒンジ取付具プレート７５２の底部の近くで同一直線上に配置された２つの孔７５６を有する実質的にＵ字型の底部ヒンジ取付板７５２で形成されている。ここにおいて、２つの孔７５６の各々は、ドリル・ブッシング７３０を受け入れるように構成されてもよい。底部ヒンジ取付具アセンブリ７５０は、Ｕ字型の底部ヒンジ取付板７５２の１つの脚から垂直に延びる溝付き位置決めピン７５４をさらに含む。そこにおいて、また、溝付き位置決めピン７５４は孔７５６に垂直に向いている。底部ヒンジ取付具アセンブリ７５０のこのある実施例では、孔７５６の中にドリル・ブッシング７３０を含んでいるが、他の実施例において、底部ヒンジ取付具アセンブリ７５０は、孔７５６の中にドリル・ブッシング７３０を含まなくてもよい。さらに、ある実施例において、底部ヒンジ取付板７５２および溝付き位置決めピン７５４は、互いに取り付けられた個々の部分を備えてもよいが、他の実施例においては、底部ヒンジ取付板７５２および溝付き位置決めピン７５４が単一の部分を備えてもよい（例えば、１つの部分から機械加工されるか、または一つの部分に鋳造される）。左および右ドア・アセンブリ４０ａおよび４０ｂの取り付け中において、この明細書において他のところでより完全に述べるように、キャビネット１２上の底部ヒンジ金具５５０のためのネジ位置を正確に配置するように、底部ヒンジ取付具アセンブリ７５０が左ドア・アセンブリ４０ａの底部に配置されてもよく、そして底部ヒンジ取付具アセンブリ７５０が右ドア・アセンブリ４０ｂの底部に配置されてもよい。
【００３９】
ここで、図２８を参照して、フレンチドアを有する冷蔵庫クーラー１０を製造する一実施例を説明する。このある方法は、キャビネットに対するフレンチドアの取り付けに注目したものであり、そしてキャビネットに対するフレンチドアの取り付けの前および後に追加のステップがあってもよい。キャビネット１２の幾つかの部品を構築した後、ステップ１０００では、キャビネット前面２４が実質的に垂直上方を向くように、キャビネット１２は実質的に水平位置に向いている。ステップ１００２では、外周ガスケット１００ａ、１００ｂがキャビネット前面２４に触れるように、左および右ドア・アセンブリ４０ａ、４０ｂは、キャビネット１２の開口した前面に配置される。その後、ステップ１００４では、頂部Ｔドア取付具７００ａおよび底部Ｔドア取付具７００ｂは、左および右ドア・アセンブリ４０ａ、４０ｂの間に置かれて、少なくとも１つのクランプ８２が左および右ドア・アセンブリ４０ａ、４０ｂを横切って広げられ、左ドア４１ａの外側面４４ａおよび右ドア４１ｂの外側面４４ｂに対して留められる。そのため、左および右ドア・アセンブリ４０ａ、４０ｂが一緒に留められる（図２９参照）。頂部および底部Ｔドア取付具７００ａおよび７００ｂは、取り付け中において、左ドア４１ａの内側面４５ａおよび右ドア４１ｂの内側面４５ｂが実質的に平行であり、正確な距離離れており（ドア・ギャップ取付バー７０８が、内側面４５ａ、４５ｂの間のギャップまたは距離を設定する）、左ドア４１ａの頂面４６ａおよび右ドア４１ｂの頂面４６ｂは、実質的に平行であり、同一直線上にあり（頂部Ｔドア取付具７００ａの頂部取付バー７０６が頂面４６ａ、４６ｂと接触する）、左ドア４１ａの底面４７ａおよび右ドア４１ｂの底面４７ｂは、実質的に平行であり、同一直線上であり（底部Ｔドア取付具７００ｂの頂部取付バー７０６は頂面４７ａ、４７ｂと接触する）、ということを保証する。そこで、一緒に留めた左および右ドア・アセンブリ４０ａ、４０ｂは、左ドア４１ａの頂面４６ａおよび右ドア４１ｂの頂面４６ｂが、ステップ１００６において、水平な天井壁１８と実質的に平行で同一直線上となるように配置される。また、ステップ１００６において、左および右ドア・アセンブリ４０ａ、４０ｂは、左ドア４１ａの内側面４５ａおよび右ドア４１ｂの内側面４５ｂが、キャビネットの垂直中心線１３から実質的に等距離となるように、キャビネット１２内で中心に配置される。
【００４０】
再び図２８を参照して、左底部および右底部ヒンジ・ブラケット５５０、調整可能な左頂部ヒンジ・アセンブリ５００ａおよび右頂部ヒンジ・アセンブリ５００ｂの取り付けに続いて、ステップ１００８でキャビネット１２上に取り付けられる。ある一実施例において、左頂部ヒンジ取付具アセンブリ７２０および右頂部ヒンジ取付具アセンブリ７４０は、事前の孔あけに使用されるか、またはそうでなければ、調整可能な左頂部ヒンジ・アセンブリ５００ａおよび右頂部ヒンジ・アセンブリ５００ｂが、キャビネット１２に固定されるべきところに位置決めするために使用されてもよい。図３０Ａに示されているように、右頂部ヒンジ取付具アセンブリ７４０の位置決めピン７３２は、右頂部ヒンジ・アセンブリ５００ｂのスプリング・カートリッジ本体５１６ｂの中に配置されており、そこにおいて、スプリング・カートリッジ・アセンブリ５１５ｂのｂスプリングと回転可能な頂部５１７および右頂部ヒンジ・ブラケット５１１は、右頂部ヒンジ・アセンブリ５００ｂから外されている。キャビネット前面２４に対する左および右ドア・アセンブリ４０ａ、４０ｂの適切な位置を保証し、その結果、外周ガスケット１００ａおよび１００ｂが適切にシールするように、左および右ドア・アセンブリ４０ａ、４０ｂが水平な天井壁１８と実質的に平行で直線上の左ドア４１ａの頂面４６ａおよび右ドア４１ｂの頂面４６ｂを持つように配置され、位置決めリブ７２４および７４４がキャビネット前面２４に触れている状態において、そこで、３つの孔が、ガイドとしてドリル・ブッシング７３０を使用してキャビネット１２にあけられる。図３０Ｂに示されているように、左頂部ヒンジ取付具アセンブリ７２０の位置決めピン７３２は、調整可能な左頂部ヒンジ・アセンブリ５００ａのスプリング・カートリッジ本体５１６ａに配置されており、そこにおいて、スプリング・カートリッジ・アセンブリ５１５ｂのスプリングと回転可能な頂部５１７および調整可能な左頂部ヒンジ・ブラケット５０１は、調整可能な左頂部ヒンジ・アセンブリ５００ａから外されている。左および右ドア・アセンブリ４０ａ、４０ｂが水平な天井壁１８と実質的に平行で直線上の左ドア４１ａの頂面４６ａおよび右ドア４１ｂの頂面４６ｂを持つように配置されている状態において、そこで、３つの孔が、ガイドとしてドリル・ブッシング７３０を使用してキャビネット１２にあけられる。調整可能な左頂部ヒンジ・アセンブリ５００ａおよび右頂部ヒンジ・アセンブリ５００ｂのための孔があけられた後、左頂部ヒンジ取付具アセンブリ７２０および右頂部ヒンジ取付具アセンブリ７４０が外される。そこで、スプリング・カートリッジ・アセンブリ５１５ａおよび５１５ｂのスプリングと回転可能な頂部５１７は、スプリング・カートリッジ本体５１６ａおよび５１６ｂにおいて交換される。その後、調整可能な左頂部ヒンジ・ブラケット５０１のヒンジ・ピン５０６は、スプリング・カートリッジ・アセンブリ５１５ａのヒンジ・ピン受取孔５１８ａの中に配置され、スプリング・カートリッジ係合ピン５０５は、スプリング・カートリッジ・アセンブリ５１５ａのピン係合長孔５２０に差し込まれる。そこで、調整可能な左頂部ヒンジ・ブラケット５０１は３つのなべ頭ネジおよび内歯ロック座金を使用して、キャビネット１２に固定される。その後、右頂部ヒンジ・ブラケット５１１のヒンジ・ピン５０６は、スプリング・カートリッジ・アセンブリ５１５ｂのヒンジ・ピン受取孔５１８ｂの中に配置され、スプリング・カートリッジ係合ピン５０５は、スプリング・カートリッジ・アセンブリ５１５ｂのピン係合長孔５２０に差し込まれる。そこで、調整可能な左頂部ヒンジ・ブラケット５１１は３つの平頭ネジを使用して、キャビネット１２に固定される。なお、調整可能な左頂部ヒンジ・アセンブリ５００ａのための孔は、右頂部ヒンジ・アセンブリ５００ｂのための孔の後に、あるいは逆に本開示の範囲から逸脱しない範囲であけられてもよいことは理解されるであろう。さらに、調整可能な左頂部ヒンジ・アセンブリ５００ａは、右頂部ヒンジ・アセンブリ５００ｂの後に、あるいは逆に本開示の範囲から逸脱しない範囲でキャビネットに取り付けられてもよいことは理解されるであろう。ネジと座金の特定形式をここに記述したが、任意の形式のネジあるいは固定具および任意の形式の座金は、本開示の範囲から逸脱しない範囲で、調整可能な左頂部ヒンジ・アセンブリ５００ａおよび右頂部ヒンジ・アセンブリ５００ｂをキャビネット１２に固定するために使用されてもよいことは理解されるべきである。
【００４１】
別の実施例において、ステップ１０００において、左および右ドア・アセンブリ４０ａ、４０ｂがキャビネット１２上に配置されたとき、調整可能な左頂部ヒンジ・アセンブリ５００ａおよび右頂部ヒンジ・アセンブリ５００ｂは、左および右ドア・アセンブリ４０ａ、４０ｂに既にそれぞれが実装されている。このある実施例においては、右頂部ヒンジ・アセンブリ５００ｂおよび調整可能な左頂部ヒンジ・アセンブリ５００ａの取り付けは、右頂部ヒンジ・アセンブリ５００ｂおよび調整可能な左頂部ヒンジ・アセンブリ５００ａをキャビネット１２に固定することを単に包含する。別の実施例においては、ステップ１０００において左および右ドア・アセンブリ４０ａ、４０ｂがキャビネット１２に配置されたとき、左および右ドア・アセンブリ４０ａ、４０ｂに対して、右頂部ヒンジ・アセンブリ５００ｂおよび調整可能な左頂部ヒンジ・アセンブリ５００ｂの一部がそれぞれ実装されるか、またはいずれも実装されない。このある実施例において、右頂部ヒンジ・アセンブリ５００ｂおよび調整可能な左頂部ヒンジ・アセンブリ５００ａの取り付けは、右頂部ヒンジ・アセンブリ５００ｂおよび調整可能な左頂部ヒンジ・アセンブリ５００ａを左および右ドア・アセンブリ４０ａ、４０ｂにそれぞれ固定すること、およびキャビネット１２に固定することを包含する。
【００４２】
再び、図２８を参照して、ステップ１０１０では、左底部および右底部ヒンジ・ブラケット５５０がキャビネット１２上に取り付けられる。ある一実施例において、底部ヒンジ取付具７５０は、事前の孔あけに使用されるか、またはそうでなければ、左底部および右底部ヒンジ・ブラケット５５０がキャビネット１２に固定されるべきところに位置決めするために使用されてもよい。図３１に示されているように、底部ヒンジ取付具７５０は、左ドア・アセンブリ４０ａに配置され、そこにおいて、溝付き位置決めピン７５４は左ドア・アセンブリ４０ａの底部におけるブッシング（図示せず）の中に配置される。左および右ドア４１ａ、４１ｂに電力を供給するために使用される電線８００（例えば、電灯）は、溝付き位置決めピンの内部に配置される。孔位置は、孔７５６の位置を使用してマークされ、その後に底部ヒンジ取付具７５０が外されてもよく、そしてマークされた孔をあけることができる。孔あけの前に底部ヒンジ取付具７５０を外すことは、電線８００に対する損傷を防ぐ助けとなる。孔があけられた後、スラスト座金（図示せず）が、底部ヒンジ・ピン（図示せず）の上に配置され、その座金およびピンが、左および右ドア・アセンブリ４０ａおよび４０ｂの底部上のブッシング（図示せず）に差し込まれる。調整可能な左頂部ヒンジ・アセンブリ５００ａおよび右頂部ヒンジ・アセンブリ５００ｂに対して左および右ドア・アセンブリ４０ａおよび４０ｂを押し付けている間に、左底部および右底部ヒンジ・ブラケット５５０がネジを使用してキャビネット１２に固定される。他の実施例において、ステップ１０００で左および右ドア・アセンブリ４０ａ、４０ｂがキャビネット１２に配置されているとき、左底部および右底部ヒンジ・ブラケット５５０は、左および右ドア・アセンブリ４０ａ、４０ｂに既にそれぞれが実装されている。このある実施例においては、左底部および右底部ヒンジ・ブラケット５５０の取り付けは、左底部および右底部ヒンジ・ブラケット５５０をキャビネット１２に固定することを単に包含する。別の実施例において、ステップ１０００において左および右ドア・アセンブリ４０ａ、４０ｂがキャビネット１２上に配置されたとき、左および右ドア・アセンブリ４０ａ、４０ｂに対して、左底部および右底部ヒンジ・ブラケット５５０の一部がそれぞれ実装されるか、またはいずれも実装されない。このある実施例において、左底部および右底部ヒンジ・ブラケット５５０の取り付けは、左底部および右底部ヒンジ・ブラケット５５０を左および右ドア・アセンブリ４０ａ、４０ｂにそれぞれ固定すること、およびキャビネット１２に固定することを包含する。
【００４３】
再び、図２８を参照して、ステップ１００８および１０１０でキャビネット１２にヒンジ・アセンブリが取り付けられた後、頂部および底部Ｔドア取付具７００ａおよび７００ｂ、およびクランプ８２がステップ１０１２が外される。その次に、キャビネット前面２４が実質的に水平に向くように、キャビネット１２はステップ１０１４で実質的に垂直位置に向いている。その次に、ステップ１０１６では、左ドア・アセンブリ４０ａおよび右ドア・アセンブリ４０ｂは別々に開かれ、そしてそれ自身で閉じることを可能とする（即ち、左ドア・アセンブリ４０ａが開かれ、そして閉じることを可能とし、その後、右ドア・アセンブリ４０ｂが開かれ、そして閉じることを可能とする）。ステップ１０１８で、左ドア・アセンブリ４０ａおよび／または右ドア・アセンブリ４０ｂのいずれかが完全に閉じていない場合、左ドア４１ａの内側面４５ａおよび右ドア４１ｂの内側面４５ｂが実質的に平行であり正確な距離離れて、ドアが適切に閉じることを保証するように、調整可能な左頂部ヒンジ・アセンブリ５００ａおよび／または底部ヒンジ・アセンブリ５５０は、ステップ１０２０で調節されてもよい。一実施例において、最終検査ステップは、ステップ１０１６の前に実行されてもよく、そこにおいては、左ドア４１ａの内側面４５ａと右ドア４１ｂの内側面４５ｂとの間の空間が他の製造工程中において変化していないことを確認するために、頂部および底部Ｔドア取付具の別の組（２番目の組）が、左および右ドア・アセンブリ４０ａｂの間に配置される。ステップ１０１８の後で、左および右ドア・アセンブリ４０ａ、４０ｂが適切に閉じているとき、左および右ドア・アセンブリ４０ａ、４０ｂの取り付けは、ステップ１０２２で完了とされてもよい。
【００４４】
多くの特徴を有する冷蔵庫クーラーであるけれども、これらの特徴のいずれも、ここに記述されたクーラーとして必須であると考えるべきでなく、クーラーに対して個々にあるいは特定の組み合わせのいずれかを組み合わせてもよい、多くの新規な特徴を持っている。従って、前述の冷蔵庫クーラーの様々な特徴は、説明された実施例に関連して示され記述されている。しかしながら、これらの特徴が冷蔵庫クーラーの実例としてここに提供されたものであり、本発明の範囲が添付された請求項によって決定されるべきであることは理解されるべきである。
【図１】
2016530476.tif 000003
【図２】
2016530476.tif 000004
【図３】
2016530476.tif 000005
【図４Ａ】
2016530476.tif 000006
【図４Ｂ】
2016530476.tif 000007
【図５Ａ】
2016530476.tif 000008
【図５Ｂ】
2016530476.tif 000009
【図６】
2016530476.tif 000010
【図７】
2016530476.tif 000011
【図８】
2016530476.tif 000012
【図８Ａ】
2016530476.tif 000013
【図８Ｂ】
2016530476.tif 000014
【図８Ｃ】
2016530476.tif 000015
【図９】
2016530476.tif 000016
【図９Ａ】
2016530476.tif 000017
【図９Ｂ】
2016530476.tif 000018
【図１０】
2016530476.tif 000019
【図１０Ａ】
2016530476.tif 000020
【図１０Ｂ】
2016530476.tif 000021
【図１１】
2016530476.tif 000022
【図１１Ａ】
2016530476.tif 000023
【図１２】
2016530476.tif 000024
【図１３Ａ】
2016530476.tif 000025
【図１３ＡＡ】
2016530476.tif 000026
【図１３Ｂ】
2016530476.tif 000027
【図１３ＢＢ】
2016530476.tif 000028
【図１３Ｃ】
2016530476.tif 000029
【図１３ＣＣ】
2016530476.tif 000030
【図１４Ａ】
2016530476.tif 000031
【図１４Ｂ】
2016530476.tif 000032
【図１４Ｃ】
2016530476.tif 000033
【図１４Ｄ】
2016530476.tif 000034
【図１５Ａ】
2016530476.tif 000035
【図１５Ｂ】
2016530476.tif 000036
【図１５Ｃ】
2016530476.tif 000037
【図１５Ｄ】
2016530476.tif 000038
【図１６Ａ】
2016530476.tif 000039
【図１６Ｂ】
2016530476.tif 000040
【図１６Ｃ】
2016530476.tif 000041
【図１６Ｄ】
2016530476.tif 000042
【図１７Ａ】
2016530476.tif 000043
【図１７Ｂ】
2016530476.tif 000044
【図１７Ｃ】
2016530476.tif 000045
【図１７Ｄ】
2016530476.tif 000046
【図１７Ｅ】
2016530476.tif 000047
【図１８】
2016530476.tif 000048
【図１９Ａ】
2016530476.tif 000049
【図１９Ｂ】
2016530476.tif 000050
【図２０】
2016530476.tif 000051
【図２１】
2016530476.tif 000052
【図２２Ａ】
2016530476.tif 000053
【図２２Ｂ】
2016530476.tif 000054
【図２２Ｃ】
2016530476.tif 000055
【図２３】
2016530476.tif 000056
【図２４Ａ】
2016530476.tif 000057
【図２４Ｂ】
2016530476.tif 000058
【図２５Ａ】
2016530476.tif 000059
【図２５Ｂ】
2016530476.tif 000060
【図２５Ｃ】
2016530476.tif 000061
【図２６Ａ】
2016530476.tif 000062
【図２６Ｂ】
2016530476.tif 000063
【図２６Ｃ】
2016530476.tif 000064
【図２７Ａ】
2016530476.tif 000065
【図２７Ｂ】
2016530476.tif 000066
【図２７Ｃ】
2016530476.tif 000067
【図２８】
2016530476.tif 000068
【図２９】
2016530476.tif 000069
【図２９Ａ】
2016530476.tif 000070
【図３０Ａ】
2016530476.tif 000071
【図３０Ｂ】
2016530476.tif 000072
【図３１】
2016530476.tif 000073
【国際調査報告】
2016530476.tif 000074
2016530476.tif 000075